(57)【要約】【課題】検体内に取り込まれたエシェリヒア  コリ菌の存在を特異的かつ迅速に検出する手段を提供する。【解決手段】エシェリヒア  コリ菌が保有するＤＮＡの切断片、特に、３５０〜６００の塩基長を有する１種以上の核酸断片を含み、かつ同菌が保有するＤＮＡに対して特異的な交差反応性を示す検出用プローブ。【選択図】                なし【特許請求の範囲】
【請求項１】
エシェリヒア  コリ（Ｅｓｃｈｅｒｉｃｈｉａ  ｃｏｌｉ）菌の検出用プローブであって、当該プローブが、エシェリヒア  コリ菌が保有するＤＮＡに対して特異的な交差反応性を示し、かつ以下の塩基配列、すなわち、
（ａ）  配列番号：１または２に記載の塩基配列；
（ｂ）  塩基配列（ａ）と７０％以上の相同性を有する塩基配列；または、
（ｃ）  塩基配列（ａ）および／または（ｂ）に対して相補的な塩基配列、を含む、
ことを特徴とするエシェリヒア  コリ菌の検出用プローブ。
【請求項２】
前記塩基配列が、３５０〜６００塩基長を有する１種以上のの核酸断片である請求項１に記載の検出用プローブ。
【請求項３】
前記ＤＮＡが、染色体ＤＮＡである請求項１または２に記載の検出用プローブ。
【請求項４】
請求項１乃至３のいずれかに記載の検出用プローブを用いる、ことを特徴とするエシェリヒア  コリ菌の検出方法。
【請求項５】
前記検出方法が、以下の工程、すなわち；
（ａ）  臨床検体より取得した生体由来の食細胞を支持担体上に固定し、
（ｂ）  固定した食細胞の細胞膜の透過性を亢進する化学処理を行い、
（ｃ）  食細胞に含まれる感染症原因菌の染色体ＤＮＡを得、
（ｄ）  ストリンジェントな条件下で、当該ＤＮＡと請求項１乃至３のいずれかに記載の検出用プローブとのｉｎ  ｓｉｔｕハイブリダイゼーションを行い、および
（ｅ）  ハイブリダイゼーションシグナルを検出する、
工程を含む請求項４に記載の検出方法。
【請求項６】
前記臨床検体が、血液、組織液、リンパ液、脳脊髄液、膿、粘液、鼻水、痰、尿、腹水、透析排液、組織洗浄液、皮膚、肺、腎、粘膜、およびこれらの組み合わせからなるグループから選択される請求項５に記載の検出方法。
【請求項７】
請求項１乃至３のいずれかに記載の検出用プローブを用いる、ことを特徴とするエシェリヒア  コリ菌の同定方法。
【請求項８】
前記同定方法が、以下の工程、すなわち；
（ａ）  臨床検体より取得した生体由来の食細胞を支持担体上に固定し、
（ｂ）  固定した食細胞の細胞膜の透過性を亢進する化学処理を行い、
（ｃ）  食細胞に含まれる感染症原因菌の染色体ＤＮＡを得、
（ｄ）  当該ＤＮＡをアルカリ変性および中和処理し、および
（ｅ）  ストリンジェントな条件下で、当該ＤＮＡと請求項１乃至３のいずれかに記載の検出用プローブとのドットブロットハイブリダイゼーションを行う、
工程を含む請求項７に記載の同定方法。
【請求項９】
前記臨床検体が、血液、組織液、リンパ液、脳脊髄液、膿、粘液、鼻水、痰、尿、腹水、透析排液、組織洗浄液、皮膚、肺、腎、粘膜、およびこれらの組み合わせからなるグループから選択される請求項８に記載の同定方法。
【請求項１０】
エシェリヒア  コリ菌の同定方法であって、以下の工程、すなわち；
（ａ）  菌種不明の感染症原因菌の染色体ＤＮＡを得、
（ｂ）  請求項１乃至３のいずれかに記載の検出用プローブを構成する塩基配列の少なくとも一部からなるプライマーを調製し、
（ｃ）  当該ＤＮＡと当該プライマーとの共存系でのポリメラーゼ連鎖反応（ＰＣＲ）によって当該ＤＮＡを増幅し、および
（ｄ）  増幅されたＤＮＡを検出する、
工程を含む、ことを特徴とするエシェリヒア  コリ菌の同定方法。
【請求項１１】
食細胞に貪食されたエシェリヒア  コリ菌の遺伝子を観察する方法であって、以下の工程、すなわち；
（ａ）  臨床検体より取得した生体由来の食細胞を支持体上に固定し、
（ｂ）  固定した食細胞の細胞膜の透過性を亢進する化学処理を行い、
（ｃ）  食細胞に含まれる感染症原因菌の染色体ＤＮＡを得、
（ｄ）  ストリンジェントな条件下で、当該ＤＮＡと請求項１乃至３のいずれかに記載の検出用プローブとのｉｎ  ｓｉｔｕハイブリダイゼーションを行い、
（ｅ）  ハイブリダイゼーションシグナルを検出し、
（ｆ）  工程（ａ）〜（ｅ）を繰り返して実施し、および
（ｇ）  ハイブリダイゼーションシグナルの経時的変化をモニターする、
工程を含む、ことを特徴とする食細胞に貪食されたエシェリヒア  コリ菌の遺伝子を観察する方法。
【請求項１２】
請求項１乃至３のいずれかに記載の検出用プローブおよびＤＮＡ露出処理剤を含む、ことを特徴とするエシェリヒア  コリ菌の検出キット。
【請求項１３】
前記ＤＮＡ露出処理剤が、リゾスタフィン、リゾチーム、Ｎ−アセチルムラミダーゼ、ザイモラーゼおよびこれらの組み合わせからなるグループから選択される酵素を含む請求項１２に記載の検出キット。
【請求項１４】
前記検出用プローブが、界面活性剤と共存している請求項１２または１３に記載の検出キット。
【請求項１５】
前記検出キットが、血液分離試薬、酵素前処理試薬、酵素試薬、アセチル化試薬、ブロッキング試薬、標識抗体、標識抗体希釈液、発色前処理液、発色試薬、対比染色液、ＰＢＳ原液、ハイブリダイゼーション原液、標識抗体洗浄液、発色試薬洗浄液、プローブ希釈液、バッファーＡおよびこれらの組み合わせからなるグループから選択される試薬をさらに含む請求項１２乃至１４のいずれかに記載の検出キット。
【請求項１６】
前記検出キットが、ＡＰＳコートスライドグラス、低速遠心機、恒温機、血球計算盤、振とう機、湿潤箱、恒温槽、光学顕微鏡、可変式ピペット、採血管、チップ、ピペット、染色ビン、メスシリンダー、注射筒、シリンジトップフィルターおよびこれらの組み合わせからなるグループから選択される器具をさらに含む請求項１２乃至１５のいずれかに記載の検出キット。
【請求項１７】
チップ基板および当該基板の表面にその一端が固定されてなるＤＮＡ断片を有するＤＮＡチップであって、当該断片が請求項１乃至３のいずれかに記載の検出用プローブまたはその断片である、ことを特徴とするＤＮＡチップ。
【発明の詳細な説明】
【０００１】
【発明の属する技術分野】
本発明は、一般に、エシェリヒア  コリ（Ｅｓｃｈｅｒｉｃｈｉａ  ｃｏｌｉ）菌の検出技術の改良、特に、エシェリヒア  コリ菌の検出および同定のための新規のプローブ、これらプローブを利用したエシェリヒア  コリ菌の検出および同定方法と、その関連技術に関する。
【０００２】
【従来の技術および発明が解決しようとする課題】
大部分のエシェリヒア  コリ（Ｅｓｃｈｅｒｉｃｈｉａ  ｃｏｌｉ）菌は病気の起因に関与せず、健康なヒトや動物の腸管内に静在している。  しかしながら、一部の大腸菌は病原性を有しており、腹痛、嘔吐、下痢等の消化器系の感染症、それに、尿道炎、膀胱炎、髄膜炎等の非消化器系の感染症を引き起こす。  消化器系の感染症を引き起こす大腸菌は経口的に感染し、腸管で病原性を示すことから下痢性大腸菌あるいは広義の病原性大腸菌と称されている。  そして、一般的に、これら病原性大腸菌は、次の５つのグループに分類することができる。
【０００３】
１．毒素原性大腸菌（Ｅｎｔｅｒｏｔｏｘｉｇｅｎｉｃ  Ｅｓｃｈｅｒｉｃｈｉａ  ｃｏｌｉ；ＥＴＥＣ）、
２．腸管侵入性大腸菌（Ｅｎｔｅｒｏｉｎｖａｓｉｖｅ  Ｅｓｃｈｅｒｉｃｈｉａ  ｃｏｌｉ；ＥＩＥＣ）、
３．腸管病原性大腸菌（Ｅｎｔｅｒｏｐａｔｈｏｇｅｎｉｃ  Ｅｓｃｈｅｒｉｃｈｉａ  ｃｏｌｉ；ＥＰＥＣ）、
４．腸管出血性大腸菌（Ｅｎｔｅｒｏｈｅｍｏｒｒｈａｇｉｃ  Ｅｓｃｈｅｒｉｃｈｉａ  ｃｏｌｉ；ＥＨＥＣ）またはベロトキシン産生性大腸菌（Ｖｅｒｏｔｏｘｉｎ−ｐｒｏｄｕｃｉｎｇ  Ｅｓｃｈｅｒｉｃｈｉａ  ｃｏｌｉ；ＶＴＥＣ）
５．腸管付着性大腸菌（Ｅｎｔｅｒｏａｄｈｅｒｅｎｔ  Ｅｓｃｈｅｒｉｃｈｉａ  ｃｏｌｉ；ＥＡＥＣ）。
【０００４】
また、出血性大腸炎の約１０％が溶血性尿毒症症候群（Ｈｅｍｏｌｙｔｉｃ  Ｕｒｅｍｉｃ  Ｓｙｎｄｒｏｍｅ；以下、単に「ＨＵＳ」と称する）、血栓性血小板減少性紫斑病および脳症等の重症合併症を引き起こす。  ＨＵＳとは、血栓性微小血管障害の形態で乳幼児期に好発する急性腎不全であり、原因として腸管出血性大腸炎、肺炎球菌感染、遺伝、薬剤または膠原病等に伴うものがあり、ＨＵＳの中枢神経障害は現在のＨＵＳによる死因の第１位を占めている。
【０００５】
現在行われている起因菌の確定診断にあっては、菌の分離とその分離菌の確認という２段階の作業が必要とされている。  菌の分離に使用される培地として、ソルビトール  マッコンキー（ＳＭＡＣ）寒天培地、ＳＩＢ（Ｓｏｒｂｉｔｏｌ  ＩＰＡ  Ｂｉｌｅ  Ｓａｌｔｓ）寒天培地、それに、ＳＭＡＣ寒天培地にセフィキシムと亜テルル酸カリウムを添加したＣＴ−ＳＭＡＣ寒天培地がある。  さらに、レインボーアガーやクロモアガーを用いた選択培地も利用可能である。  次に、この様にして選択された菌（分離菌）の確認が必須であり、その確認方法として免疫学的反応を利用したラテックス凝集反応法や、ＥＩＡ法もしくはＰＣＲ反応を利用した方法などが用いられている。  しかしながら、このような培養方法によれば、診断結果を得るまでに相当の時間を必要とするので、病態が進行する恐れが多分にある。  また、一般に、このような培養方法は、その操作法が煩雑で、相応の熟練を要するなど、必ずしも実用的でない側面も否めない。
【０００６】
感染症の治療は、理論的には第一に起因菌を確定し、第二に起因菌に応じた的確な治療を行うことが重要である。  それを達成するためには、事前に細菌検査などを行う必要があるが、臨床においては急を要することもあり、現実的にはこれら処置が殆ど実施されていないのが現状である。  すなわち、多くの医師は独自の治療経験に基づいて診断や起炎菌の予測を行い、予測された起因菌に対する抗菌薬を投与し治療経過を観察した後に治療を終了するか、起因菌同定の検査結果を待ってから抗菌薬を変更するなどの処置を行っている。  このような現在の治療方針によれば、起因菌に対して効力を示さない抗菌薬が投与される可能性が多分にあり、適切な処置を施せずに患者を危険な状態に放置する可能性も否めず、また、抗菌薬の無駄使いによる医療費の増加が懸念されている。  加えて、感染症を疑われた時点で大量に抗生物質を投与されている場合には、たとえ検体中（特に、血液中）に起因菌が含まれていても、細菌の増菌や増殖が抑えられている場合があり、実際のところ、これらの検体から起因菌を培養できる可能性は極めて低いものとなっている。
【０００７】
このように、エシェリヒア  コリ菌の確定に至るまでには、血液培養など様々な検査を必要とするので、迅速な確定診断は到底望むべくもなく、また多額の費用を要するなどの問題があった。  さらに、菌の培養に長時間を要する上に、薬剤感受性成績の結果を得るまでに３〜４日の培養がさらに必要であることも、迅速な診断結果の取得を難しくしている。
【０００８】
このような背景がゆえに、病原性大腸菌に感染したこと（とりわけ、血液中に病原性大腸菌が存在すること）を早期にかつ正確に診断できる簡便な方法の確立が、臨床現場において待望されてるのである。
【０００９】
このような諸問題を解決するために、本出願人は、貪食細胞に貪食された外来微生物の検出および／または同定のための方法を発明した（特許文献１を参照）。  すなわち、この方法によれば、貪食細胞中に存在する外来微生物由来の遺伝子は、これら遺伝子に対して特異的にハイブリダイゼーション可能なプローブを用いたｉｎ  ｓｉｔｕハイブリダイゼーションによって検出される。  具体的には、この方法は、生体由来の臨床検体より取得した食細胞を固定し、これら食細胞に対して細胞膜の透過性を亢進させるための処理を施し、食細胞内に取り込まれた感染症原因菌のＤＮＡを露出し、ストリンジェントな条件下で感染症原因菌のＤＮＡにハイブリダイゼーション可能な検出用ＤＮＡプローブを用いたｉｎ  ｓｉｔｕハイブリダイゼーションを行い、および、ハイブリダイズシグナルの出現の有無によって感染症原因菌を検出および／または同定する、との一連の工程を含む。
【００１０】
病原性大腸菌に感染したと疑われる患者の血液を、この方法に従って検査したところ、血液培養法と比較して約４倍の感度で菌を検出し、さらに２４時間以内に判定を終えることができたこともあり、この方法は感染症分野において脚光を浴びている。
【００１１】
【特許文献１】
特公平０７−４０号
【００１２】
このように、本願発明は、エシェリヒア  コリ菌の検出および同定に有用な新規プローブ、特に、ハイブリダイゼーション用プローブを提供する。  それに加えて、これらプローブの利用によって、従前の検出方法よりも検出効率ならびに検出感度に優れた検出方法や検出手段を実現することも、その目的としている。
【００１３】
本願発明の方法は、臨床検体が血液である場合に特に有効な手段となりうる。
【００１４】
【課題を解決するための手投】
本発明は、従来技術で認識されていた上掲の不都合に鑑みて発明されたものであって、その要旨とするところは、エシェリヒア  コリ菌に対して特異的な交差反応を示し、かつ（ａ）  配列番号：１または２に記載の塩基配列；（ｂ）  塩基配列（ａ）と７０％以上の相同性を有する塩基配列；または、（ｃ）  塩基配列（ａ）および／または（ｂ）に対して相補的な塩基配列を含む、エシェリヒア  コリ菌の検出用プローブにある。
【００１５】
また、本発明によれば、前述した検出用プローブを用いたエシェリヒア  コリ菌の検出方法も提供される。  この検出方法は、（ａ）  臨床検体より取得した生体由来の食細胞を支持体上に固定し、（ｂ）  固定した食細胞の細胞膜の透過性を亢進する化学処理を行い、（ｃ）  食細胞に含まれる感染症原因菌の染色体ＤＮＡを得、（ｄ）  ストリンジェントな条件下で、得られた染色体ＤＮＡと本発明の検出用プローブとの間でｉｎ  ｓｉｔｕハイブリダイゼーションを行い、そして、（ｅ）  ハイブリダイゼーションシグナルを検出する、との工程を含む。
【００１６】
さらに、本発明の他の態様によれば、エシェリヒア  コリ菌の同定方法が提供される。  この同定方法は、（１）  菌種不明の感染症原因菌の染色体ＤＮＡを得、（２）  本発明の検出用プローブを構成する塩基配列の少なくとも一部からなるプライマーを調製し、（３）  得られた染色体ＤＮＡと当該プライマーとの共存系でのポリメラーゼ連鎖反応（ＰＣＲ）によって当該ＤＮＡを増幅し、そして、（４）  増幅されたＤＮＡを検出する、との工程を含む。
【００１７】
また、本発明のさらに他の態様によれば、食細胞に貪食された外来微生物（特に、エシェリヒア  コリ菌）の遺伝子を観察する方法が提供される。  この観察方法は、（ｉ）  臨床検体より取得した生体由来の食細胞を支持体上に固定し、（ｉｉ）固定した食細胞の細胞膜の透過性を亢進する化学処理を行い、（ｉｉｉ）  食細胞に含まれる感染症原因菌の染色体ＤＮＡを得、（ｉｖ）  ストリンジェントな条件下で、得られた染色体ＤＮＡと本発明の検出用プローブとのｉｎ  ｓｉｔｕハイブリダイゼーションを行い、（ｖ）  ハイブリダイゼーションシグナルを検出し、（ｖｉ）  工程（ｉ）〜（ｖ）を繰り返し、そして、（ｖｉｉ）  ハイブリダイゼーションシグナルの経時的変化をモニターする、との工程を含む。
【００１８】
加えて、本発明のさらに他の態様によれば、本発明の検出用プローブ、食細胞含有検体調製器具、支持担体、細胞膜用化学処理剤、ＤＮＡ露出処理剤、ハイブリダイゼーション用具、およびハイブリダイゼーションシグナル検出器具を含むエシェリヒア  コリ菌の検出キットが提供される。
【００１９】
そして、本発明のさらに別の態様によれば、チップ基板および当該基板の表面にその一端が固定されてなる本発明の検出用プローブまたはその断片とを具備したＤＮＡチップが提供される。
【００２０】
【発明の実施の形態】
以下に、本願発明を詳細に説明する。
【００２１】
定  義
まず、本明細書で使用する「臨床検体」の語は、生体由来の食細胞が含まれる臨床検体を総称するものであり、例えば、血液、組織液、リンパ液、脳脊髄液、膿、粘液、鼻水、痰などの体液が挙げられる。  また、糖尿病、腎障害、肝障害などの病態によっては、尿、腹水、透析排液などの他に、鼻腔、気管支、皮膚、各種臓器、骨などを洗浄した後の洗浄液にも生体由来の食細胞が含有されるため、これらも臨床検体の範疇に包含される。  本願発明においては、臨床検体が血液である場合において特に有効である。  加えて、皮膚、肺、腎、粘膜などの組織も、本発明の臨床検体として用いることができる。  これはすなわち、食細胞の一つであるマクロファージには、単球、肺胞マクロファージ、腹腔マクロファージ、固定マクロファージ、遊離マクロファージ、ハンゼマンマクロファージ、炎症性マクロファージ、肝クッパー細胞、脳ミクログリア細胞などの様々な形態に変化するため、血液のみならず、これらを含有する組織までもが本発明の臨床検体として用いることができることによる。  例えば、腎炎が疑われる患者から、腎生検に従って腎組織を採取し、トリプシン等の酵素を用いることによって細胞を剥離してこの組織内に存在する食細胞を取得し、得られた食細胞を用いることで、腎炎の原因微生物を検出および同定することができる。
【００２２】
次に、本明細書で使用する「食細胞」の語は、外来微生物を含めた異物を自身の細胞内に取り込むことのできる細胞を指すものであって、例えば、マクロファージ、単球、好中球、好酸球などが挙げられる。  また、Ｕ９３７細胞、ＨＬ６０細胞などの食細胞系も、本発明において好適に使用することができる。
【００２３】
食細胞（白血球）画分は、公知の方法によって臨床検体から取得することができる。  例えば、約５ｍｌのヘパリン加静脈血（白血球数の少ない場合は１０ｍｌ）を採取し、この血液と血液分離試薬［塩化ナトリウム２２５ｍｇとデキストラン（分子量２００，０００〜３００，０００）１．５ｇを含み、滅菌精製水にて全量を２５ｍｌに調製したもの］とを４：１程度の割合で混和した後、約１０℃〜約４０℃で、約１５分〜約１２０分間、好ましくは、約３７℃で、約３０分間静置することによって、白血球画分（上層）を取得することができる。
【００２４】
食細胞の固定
このようにして得た白血球画分を、約０℃〜約２０℃にて、約１００×ｇ〜約５００×ｇで、約３分〜約６０分間、好ましくは、約４℃にて、約１４０×ｇ〜約１８０×ｇで、約１０分間遠心分離することによって、白血球を得ることができる。
【００２５】
遠心分離の際に赤血球が混入してしまった場合には、溶血操作を行うのが好ましい。  例えば、白血球のペレットに滅菌精製水１ｍｌを加えて懸濁した後に、直ちに、過剰量のＰＢＳ［塩化ナトリウム１８．２４ｇ、リン酸一水素ナトリウム１２水和物６．０１２ｇおよびリン酸二水素ナトリウム二水和物１．１２３ｇを含み、かつ滅菌精製水で全量を１２０ｍｌに調製したもの（以下、単に『ＰＢＳ原液』と称する）を、滅菌精製水で２０倍に希釈して得たもの］（以下、単に『ＰＢＳ』と称する）を加えて等張化した後、再度、約４℃の温度下にて、約１４０×ｇ〜約１８０×ｇで、約１０分間遠心分離する。
【００２６】
あるいは、このような遠心分離を行わなくとも、貪食細胞が本質的に有する接着能力を利用して、以下のようにして、スライドグラスに接着させることもできる。  白血球を固定する方法として、例えば、カルノア固定を行うことができる。  具体的には、白血球を支持できる担体（支持担体）に白血球のペレットを載置し、カルノア固定液（エタノール：クロロホルム：酢酸＝６：３：１で混合して得た液）に２０分間程度浸した後、約５０％〜約９０％、好ましくは、約７５％のエタノール液に約５分間浸して、完全に風乾する。
【００２７】
このような支持担体としては、不溶性素材から形成されたものが好ましく、例えば、ガラス、金属、合成樹脂（ポリスチレン、ポリエチレン、ポリプロピレン、ポリ塩化ビニル、ポリエステル、ポリアクリル酸エステル、ナイロン、ポリアセタール、フッ素樹脂など）、多糖類（セルロース、アガロースなど）が好適に使用できる。  不溶性支持担体の形状としては、例えば、板状、盆状、球状、繊維状、棒状、盤状、容器状、セル、管状等の種々の形状とすることができる。
【００２８】
特に、本発明の実施態様において好ましい支持担体として、スライドグラスがある。  このようなスライドグラスとして、例えば、スライドグラス（商品番号ＭＳ３１１ＢＬ：日本エアーブラウン社製）がある。  このＭＳ３１１ＢＬスライドグラスは、その表面に、直径５ｍｍの円形ウェルを１４個有している。
【００２９】
また、実際の適用を考慮すれば、支持担体への細胞の接着性を改善する目的で、３−アミノプロピルトリエトキシシラン（ＡＰＳ、ＳＩＧＭＡ社）を、その表面にコートしてなるＡＰＳコートスライドグラスが好ましい。  その他に、ポリ−Ｌ−リジンやゼラチンをコートしてなるスライドグラスも好適に使用できる。  これらＡＰＳコートスライドグラスの作製手順は、まず、スライドホルダーにスライドグラスを固定する。  固定したスライドグラスを、希釈した中性洗剤に３０分以上浸して洗浄し、水道水で洗剤を十分に除去し、精製水で洗浄した後に、高温（１００℃以上）で十分に乾燥させ、その後、室温で放置冷却する。  次いで、スライドグラスを２％ＡＰＳ含有アセトンに１分間浸し、直ちにアセトンおよび滅菌精製水で順次軽く洗浄した後に、風乾する。  さらに再度、スライドグラスを１〜１０％ＡＰＳ含有アセトンに１分間浸し、直ちにアセトンおよび滅菌精製水で順次軽く洗浄した後に、風乾を行った後、約２０℃〜約６０℃、好ましくは約４２℃で乾燥させることで、ＡＰＳコートスライドグラスが得られる。
【００３０】
ＡＰＳコートスライドグラス表面に白血球を支持させる場合、各ウェルに白血球が単層に広がるように塗抹して、風乾するのが好ましい。  固定化する食細胞の密度（ｘ個／ｍｌ）は、約５×１０６個／ｍｌ＜ｘ個／ｍｌ＜約１×１０８個／ｍｌ、好ましくは、約１×１０７個／ｍｌ≦ｘ個／ｍｌ≦約５×１０７個／ｍｌに調整する。  また、これに対応して、ＡＰＳコートスライドグラスに固定される１ウェル当たりの白血球の細胞数（ｙ個／ウェル（直径５ｍｍ））は、約２．５×１０４個／ウェル＜ｙ個／ウェル＜約５×１０５個／ウェル、好ましくは、約５×１０４個／ウェル≦ｙ個／ウェル≦約２．５×１０５個／ウェルに調整する。
【００３１】
具体的には、白血球画分を、約４℃にて、約１４０×ｇ〜約１８０×ｇで、１０分間遠心分離して得た白血球ペレットに、少量のＰＢＳを加えて懸濁し、血球計算盤を用いて白血球数を計測する。
【００３２】
そして、約５×１０４個／ウェル〜約２．５×１０５個／ウェルの細胞数となるようにＰＢＳで調製した白血球懸濁液５μｌを、ＡＰＳコートスライドグラスの各ウェルに白血球が単層に広がるように塗抹し、完全に風乾させることによって、白血球がその表面に固定支持されたＡＰＳコートスライドグラスが調製される。
【００３３】
細胞膜の透過性亢進処理
食細胞の細胞膜の透過性を亢進させるための処理を行う。  この処理方法として、白血球が固定支持されたＡＰＳコートスライドグラスを、ＰＢＳに約３〜約３０分間浸し、その後、酵素前処理試薬（サポニン１．２５ｇ、ｔ−オクチルフェノキシポリエトキシエタノール（比重１．０６８〜１．０７５（２０／４℃）、ｐＨ（５ｗ／ｖ％）  ５．５〜７．５）１．２５ｍｌ、ＰＢＳ原液２５ｍｌを混合し、滅菌精製水にて全量５０ｍｌに調製したもの）を、滅菌精製水で約２倍〜約５０倍に希釈した溶液に浸し、振とう機で約３〜約３０分間振とうする方法を用いることができる。
【００３４】
内在細菌ＤＮＡの取得
次に、食細胞内に存在する感染症原因菌のＤＮＡを得る。  具体的には、まず、スライドグラス１枚につき酵素試薬（Ｎ−アセチルムラミダーゼ、リゾチームおよび／またはリゾスタフィン；以下、単に『酵素試薬』と称する）に対して、酵素試薬溶解液（フェニルメチルスルフォニルフルオライド（ＰＭＳＦ）含有ジメチルスルフォキシド（ＤＭＳＯ）を、ＰＢＳで１００倍希釈したもの］を１ｍｌ加えて酵素試液を調製した。  その後、約２０℃〜約６０℃、好ましくは、約３７℃〜約４２℃の湿潤箱内で、この酵素試薬１ｍｌを白血球塗抹部位に滴下して、約１０〜約６０分間静置して、感染症原因菌のＤＮＡを露出する。  その後、０．２ｍｏｌ／ｌの塩酸を含むＰＢＳ（ＰＢＳ原液に塩酸を加え、滅菌精製水で２０倍希釈して、塩酸の終濃度を０．２ｍｏｌ／ｌに調製したもの）に浸し、そのまま振とう機上で約３〜約３０分間振とうする。  ＤＭＳＯは、５％以上の濃度でリゾチームおよびリゾスタフィンの活性を低下させる可能性があるため、５％未満の濃度で使用するのが好ましい。
【００３５】
食細胞の形態を保持させる物質であるＰＭＳＦ以外に、他の公知のプロテアーゼ阻害剤、例えば、トシルリジンクロロメチルケトン（ＴＬＣＫ）およびそれらの混合物などを用いることもできる。  そのような場合は、ＤＭＳＯなどの溶解剤を適宜変更すればよい。
【００３６】
酵素試薬として用いられる各酵素の力価範囲は、次の通りである。  リゾスタフィンの力価範囲は、約１単位／ｍｌ〜約１，０００単位／ｍｌ、好ましくは、約１０単位／ｍｌ〜約１００単位／ｍｌである。  また、Ｎ−アセチルムラミダーゼの力価範囲は、約１０単位／ｍｌ〜約１０，０００単位／ｍｌ、好ましくは、約１００単位／ｍｌ〜約１，０００単位／ｍｌである。そして、リゾチームの力価範囲は、約１，０００単位／ｍｌ〜約１，０００，０００単位／ｍｌ、好ましくは、約１０，０００単位／ｍｌ〜約１００，０００単位／ｍｌである。  なお、原因菌がカンジダ  アルビカンスなどの真菌である場合には、ザイモラーゼを単独あるいは他の酵素と併用して使用するのが好ましく、その力価範囲は、約５０〜約５００単位／ｍｌ、好ましくは、約１００単位／ｍｌ〜約５００単位／ｍｌである。  また、ザイモラーゼを使用する場合、ＰＭＳＦまたは公知のプロテアーゼ阻害剤を併用するのが特に好ましい。
【００３７】
また、グラム陽性菌とグラム陰性菌の菌体成分の違い、すなわち、ペプチドグリカンまたはリポポリサッカライドの違いにより、使用酵素を適宜選択することができる。  特に、グラム陽性菌とグラム陰性菌の種別にかかわらず、より効果的に菌体を溶菌させるために、２種類以上の酵素を使用することもできる。  リゾチーム、リゾスタフィン、およびＮ−アセチルムラミダーゼの３種類の酵素を混合した酵素試薬を使用することによって、１種類の酵素に依った場合と比較して溶菌活性が高まる。
【００３８】
酵素試薬の至適酵素処理温度は、約２６℃〜約５９℃、好ましくは、約３７℃〜約４２℃に設定する。  また、酵素試薬の酵素処理時間は、少なくとも約１５分以上、好ましくは、約１５分〜約１２０分、あるいは、少なくとも約２０分以上、好ましくは、約３０分〜約６０分とする。
【００３９】
Ｎ−アセチルムラミダーゼに関しては、エンテロコッカス  フェカーリス（Ｅｎｔｅｒｏｃｏｃｃｕｓ  ｆａｅｃａｌｉｓ）の熱処理乾燥粉末ならびにＮ−アセチルムラミダーゼと共に、２ｍｍｏｌ／ｌ  塩化マグネシウムを含む５ｍｍｏｌ／ｌトリス塩酸緩衝液（ｐＨ  ６．０）中にて、３７℃で、５分間反応させた場合、６００ｎｍでの吸光度が下がる現象が認められる。  また、ストレプトコッカス  サリヴァリス（Ｓｔｒｅｐｔｏｃｏｃｃｕｓ  ｓａｌｉｖａｒｉｕｓ  （ＩＦＯ３３５０）の熱処理細胞を、３７℃、ｐＨ  ７．０の条件下で、１分間に１μｇを溶菌する酵素活性を１単位とした場合、２，０００単位／ｍｇ以上の活性を示すＮ−アセチルムラミダーゼを使用することが望ましい。
【００４０】
リゾチームに関しては、ミクロコッカス  ルテウス（Ｍｉｃｒｏｃｏｃｃｕｓ  ｌｕｔｅｕｓ）とリゾチームと共に、ＰＢＳ中にて、３７℃で、５分間反応させた場合、６００ｎｍの吸光度が下がる現象が認められる。  また、Ｍｉｃｒｏｃｏｃｃｕｓ  ｌｕｔｅｕｓを、３５℃、ｐＨ  ６．２の条件下で、１分間に５４０ｎｍの吸光度を０．００１下げる時の酵素活性を１単位とした場合、５０，０００単位／ｍｇ以上の活性を示すリゾチームを使用することが望ましい。
【００４１】
リゾスタフィンに関しては、スタフィロコッカス  エピデルミディス（Ｓｔａｐｈｙｌｏｃｏｃｃｕｓ  ｅｐｉｄｅｒｍｉｄｉｓ）とリゾスタフィンが共に、ＰＢＳ中にて、３７℃で、５分間反応させた場合、６００ｎｍの吸光度が下がる現象が認められる。  また、スタフィロコッカス  アウレウス（Ｓｔａｐｈｙｌｏｃｏｃｃｕｓ  ａｕｒｅｕｓ）を、３７℃、ｐＨ  ７．５の条件下で、１０分間で、  ６２０ｎｍの吸光度を０．２４０から０．１２５に下げる酵素活性を１単位とした場合、５００単位／ｍｇ以上の活性を示すリゾスタフィンを使用することが望ましい。
【００４２】
ザイモラーゼ（商品名：ザイモリエイス、生化学工業）は、アルスロバクタールテサル（Ａｒｔｈｒｏｂａｃｔｅｒ  ｌｕｔｅｓｕ１）の培養液から調製された酵素で、酵母生細胞の細胞壁に対する溶解活性が大きい。  ザイモラーゼに含まれる細胞壁溶解に関与する必須酵素は、β−１，３−グルカン  ラミナリペンタオヒドロラーゼ（β−１，３−ｇｌｕｃａｎ  ｌａｎｉｍａｒｉｐｅｎｔａｏｈｙｄｒｏｌａｓｅ）であり、これは、β−１，３−結合のグルコースポリマーに作用して、主生成物としてラミナリペンタオースを生成する。  ザイモリエイス−１００Ｔは、硫安分画に精製され、さらにアフィニティークロマトグラフィーにより精製された酵素であって（Ｋｉｔａｍｕｒａ，  Ｋ．  ｅｔ  ａｌ．，  Ｊ．  Ｆｅｒｍｅｎｔ．  Ｔｅｃｈｎｏｌ．，  ６０，  ２５７，  １９８２）、１００，０００単位／ｇの活性を有している。  しかしながら、この酵素の活性は、基質となる酵母の種類、培養条件および生育時期により変化することが知られている（Ｋｉｔａｍｕｒａ，  Ｋ．  ｅｔ  ａｌ．，  Ｊ．  Ｇｅｎ．  Ａｐｐｌ．  Ｍｉｃｒｏｂｉｏｌ．，２０，  ３２３，  １９７４；Ｋｉｔａｍｕｒａ，  Ｋ．  ｅｔ  ａｌ．，  Ａｇｒｉｃ．  Ｂｉｏｌ．  Ｃｈｅｍ．，  ４５，  １７６１，  １９８１；  Ｋｉｔａｍｕｒａ，  Ｋ．  ｅｔ  ａｌ．，  Ａｇｒｉｃ．  Ｂｉｏｌ．  Ｃｈｅｍ．，  ４６，  ５５３，  １９８２）。  ザイモリエイス−１００Ｔは、β−１，３−グルカナーゼを約１．０×１０７単位／ｇ、プロテアーゼを約１．７×１０４単位／ｇ、そして、マンナーゼを約６．０×１０４単位／ｇを含み、ＤＮａｓｅおよびＲＮａｓｅは認められない（Ｋｉｔａｍｕｒａ，  Ｋ．  ｅｔ  ａｌ．，  Ｊ．  Ｇｅｎ．  Ａｐｐｌ．  Ｍｉｃｒｏｂｉｏｌ．，  １８，  ５７，  １９７２）。  また、ザイモリエイスの至適ｐＨは約５．５〜約８．５であり、約６．５〜約７．５のｐＨが特に至適性に優れており、一方で、至適温度は約２５〜約５５℃であり、約３５〜約４５℃の温度が特に望ましい。
【００４３】
さらに、酵母（対数増殖期細胞）に対する溶菌スペクトラム（属名）として、Ａｓｈｂｙａ、Ｃａｎｄｉｄａ、Ｄｅｂａｒｙｏｍｙｃｅｓ、Ｅｒｅｍｏｔｈｅｃｉｕｍ、Ｅｎｄｏｍｙｃｅｓ、Ｈａｎｓｅｎｕｌａ、Ｈａｎｓｅｎｉａｓｐｏｒａ、Ｋｌｏｅｋｅｒａ、Ｋｌｕｙｖｅｒｏｍｙｃｅｓ、Ｌｉｐｏｍｙｃｅｓ、Ｍｅｔｓｃｈｋｏｗｉａ、Ｐｉｃｈｉａ、Ｐｕｌｌｕｌａｒｉａ、Ｔｏｒｕｌｏｐｓｉｓ、Ｓａｃｃｈａｒｏｍｙｃｅｓ、Ｓａｃｃｈａｒｏｍｙｃｏｐｓｉｓ、Ｓａｃｃｈａｒｏｍｙｃｏｄｅｓ、Ｓｃｈｗａｎｎｉｏｍｙｃｅｓなどがある。  特に、カンジダ属には、カンジダ  アルビカンス（Ｃａｎｄｉｄａ  ａｌｂｉｃａｎｓ）、カンジダ  トロピカリス（Ｃａｎｄｉｄａ  ｔｒｏｐｉｃａｌｉｓ）、カンジダ  パラシロシス（Ｃａｎｄｉｄａ  ｐａｒａｐｓｉｌｏｓｉｓ）、カンジダ  ガラクタ（Ｃａｎｄｉｄａ  ｇａｌａｃｔａ）、カンジダ  ギリエルモンジ（Ｃａｎｄｉｄａ  ｇｕｉｌｌｉｅｒｍｏｎｄｉｉ）、カンジダ  クルセイ（Ｃａｎｄｉｄａ  ｋｒｕｓｅｉ）等がある。
【００４４】
これらの属に属する菌も、本発明の適用対象に加えることができる。
【００４５】
ザイモラーゼの賦活剤として、ＳＨ化合物、例えば、システイン、２−メルカプトエタノール、ジチオスレイトールなどを用いることができる。  ザイモラーゼは、ビール酵母懸濁液を基質として、約２５℃の温度下で、約２時間置いた反応液（ザイモラーゼ：０．０５〜０．１ｍｇ／溶液ｍｌの１ｍｌ、基質：ビール酵母懸濁液（２ｍｇ乾燥重量／ｍｌ）３ｍｌ、緩衝液：Ｍ／１５リン酸緩衝液（ｐＨ  ７．５）５ｍｌを含み、滅菌精製水１ｍｌで全量を１０ｍｌに調製したもの）でのＡ８００を３０％減少するに必要な酵素活性を１単位とする。  なお、ザイモリエイス−１００Ｔは、約１００，０００単位／ｇの活性を有している。
【００４６】
酵素試薬溶解液として用いられる（プロテアーゼから白血球を保護してその形態を保持させるために添加される）ＰＭＳＦは、約１０μｍｏｌ／ｌ  以上の濃度で効果が認められ、約０．１ｍｍｏｌ／ｌ  以上の濃度では、白血球の形態の劣化が完全に抑制されていたことから、約１０μｍｏｌ／ｌ〜約１０ｍｍｏｌ／ｌ、好ましくは、約０．１ｍｍｏｌ／ｌ〜約１ｍｍｏｌ／ｌの範囲であることが好ましい。  また、ジメチルスルフォキシド（ＤＭＳＯ）の濃度としては、約５％未満の濃度で使用でき、約２％以下の濃度が好ましく、約１％程度の濃度が最も好ましい。  従って、酵素試薬溶解液としては、０．１ｍｏｌ／ｌ  ＰＭＳＦ含有ＤＭＳＯを、ＰＢＳで約１００〜約１，０００倍希釈して調製したものが好ましい。
【００４７】
感染症原因菌のＤＮＡを得た後に、細胞膜タンパク質のアセチル化工程を加えてもよい。  具体的には、アセチル化試薬（トリエタノールアミン７．４６ｇと適量の塩酸を含み、かつ適量の滅菌精製水で全量を５０ｍｌとしたもの）に無水酢酸を加え、滅菌精製水で約２倍〜約５０倍に希釈し、好ましくは、約１０倍に希釈して、無水酢酸の終濃度を約０．１〜約３．０％、好ましくは、約０．８％に調製したアセチレーション試薬にスライドグラスを浸し、振とう機上で５〜３０分間振とうする。  その後、スライドグラスを、７５％、８５％、９８％のエタノールに順に、それぞれ約２〜約５分間ずつ浸して、完全に風乾させる。
【００４８】
また、アセチル化工程の後に、感染症原因菌のＤＮＡをアルカリ処理する工程を挿入することができる。  これにより、感染症原因菌のＤＮＡは、一本鎖のＤＮＡになる。  具体的には、スライドグラスを、約１０ｍｍｏｌ／ｌ  〜約３００ｍｍｏｌ／ｌ、好ましくは約７０ｍｍｏｌ／ｌの濃度の水酸化ナトリウムを含むＰＢＳ（ＰＢＳ原液に水酸化ナトリウムを加え、滅菌精製水で約２０倍希釈し、水酸化ナトリウムの終濃度を７０ｍｍｏｌ／ｌ  に調製したもの）に約２〜約５分間浸して、アルカリ処理を行う。  その後、スライドグラスを、７５％、８５％、９８％のエタノールに順に、それぞれ約２〜約５分間ずつ浸して、完全に風乾させる。
【００４９】
Ｉｎ  ｓｉｔｕハイブリダイゼーション
ストリンジェントな条件下にて、感染症原因菌のＤＮＡとハイブリダイゼーション可能な検出用ＤＮＡプローブを用いてｉｎ  ｓｉｔｕハイブリダイゼーションを行う。
【００５０】
Ｉｎ  ｓｉｔｕハイブリダイゼーションを実施するにあたって、まず、プローブ希釈液を用いて調製した検出用ＤＮＡプローブ含有液（プローブ液）を塗抹部位に塗布し、約２５℃〜約５０℃、好ましくは、約３７℃〜約４２℃の湿潤箱内で、約１〜約３時間、好ましくは、約２時間静置させる。  その後、ハイブリダイゼーション洗浄液［ハイブリダイゼーション原液（塩化ナトリウム１３．１５ｇとクエン酸三ナトリウム２水和物６．６１５ｇとを含み、滅菌精製水にて全量を７５ｍｌに調整したもの、以下、単に、『ハイブリダイゼーション原液』と称する）を、ハイブリダイゼーション原液：滅菌精製水：ホルムアミド＝５：４５：５０の割合で混合して調製したもの］を３つの染色ビンに用意し、それぞれを順に、約３５〜約４５℃、好ましくは、約４２℃で、約１０分間ずつ浸す。  その後、ＰＢＳに浸したままで、振とう機上で、約５〜約３０分間振とうさせる。  詳細には、プローブ希釈液は、サケ精子ＤＮＡ  ６００μｌ、１００×デンハート溶液５０μｌ、前出のハイブリダイゼーション原液５００μｌ、ホルムアミド２２５０μｌ、５０％硫酸デキストラン１０００μｌを含んでいる。  プローブ液には、１５ｎｇの各検出用ＤＮＡプローブを含有せしめるのが好ましく、プローブ希釈液にて全量を５０μｌとするのが望ましい。
【００５１】
エシェリヒア  コリ菌のプローブ濃度は、約０．１〜約２．４ｎｇ／μｌ、好ましくは約０．６〜約１．８ｎｇ／μｌ、より好ましくは、約０．６〜約１．２ｎｇ／μｌとする。
【００５２】
また、ハイブリダイゼーションの試験時間は、少なくとも約３０分以上、好ましくは、約６０分以上、より好ましくは、約９０分以上とする。  最も好ましくは、ハイブリダイゼーション時間を１２０分〜９００分に設定すべきである。
【００５３】
Ｉｎ  ｓｉｔｕハイブリダイゼーションの実施において、検出感度を高める観点からして、ドデシル硫酸ナトリウム（ＳＤＳ）などの界面活性剤の使用が好ましい。  ＳＤＳの好ましい濃度は、約１％以下、好ましくは、約０．１％〜約０．７５％、より好ましくは約０．２５％〜約０．５％である。  ＳＤＳは、ハイブリダイゼーションの際に用いる溶液に添加されていればよく、プローブ希釈液またはプローブ液に事前に混合して用いてもよい。
【００５４】
また、ＤＮＡプローブとしては、約３５０〜約６００塩基長、好ましくは、約３５０〜約５５０塩基長、最も好ましくは、約３５０〜約５００塩基長の長さを有する１種以上の核酸断片とするのが好ましい。  これはすなわち、食細胞内へのプローブの導入を円滑にし、かつ取り込まれている外来微生物の遺伝子への確実な接触が許容されることによる。  ところで、プローブの塩基長は、必ず上記塩基長範囲に収まらなければならないことを意味するものではなく、プローブ塩基長の分布に上記範囲の塩基長が含まれていればよい。  これらプローブは、１種で用いても数種（１種以上）で用いても良い。  １種以上のプローブとは、一菌種に対してハイブリダイズできる複数種のプローブであってもよく、また、一菌種に対してプローブは１つであるが、菌種が複数種存在するためにプローブの種類が複数種となっていてもよく、プローブの種類が１種以上であれば特に制限されない。
【００５５】
なお、プローブは、食細胞自体との交差反応性に乏しい（ハイブリダイズしない）配列を有するＤＮＡ断片を含むものとすることが好ましく、プローブの起源種と異なる他の菌種に由来する遺伝子とハイブリダイズするものであってはならない。
【００５６】
例えば、サブトラクション法を用いれば、短時間で特異プローブを作成することができる。  これらプローブは、フルオレセインイソチオシアネート（ＦＩＴＣ）、ビオチン、ジゴキシゲニン（ジゴキシゲニン（ＤＩＧ）−１１−ｄＵＴＰ）等の非放射性同位体標識用物質を用いて、定法のニックトランスレーション法に従って、調製およびラベルすることができる。  プローブの鎖長は、ニックトランスレーション反応において添加するＤＮａｓｅＩとＤＮＡポリメラーゼＩの量比を変化させることによって、最も効率よく標識付け可能なように制御できる。
【００５７】
一例として、本願発明のプローブＥＣ−７の２μｇを効率よくラベル化し、また、外来微生物ＤＮＡと効率よくｉｎ  ｓｉｔｕハイブリダイズ可能なプローブ鎖長（３５０〜６００）にするためには、全量１００μｌの反応液中に、１０Ｕ／μｌのＤＮＡポリメラーゼＩの２μｌに対し、全量１００μｌの反応液中に約１０〜約３５０ｍＵ、好ましくは、約２５〜約２００ｍＵ、より好ましくは、約５０〜約１５０ｍＵに調製されたＤＮａｓｅＩを６μｌ存在するように調製する。  この場合、各酵素の容量および反応液全量などは、上記した至適反応条件の比率が一定である限り、適宜変更してもよい。  換言すれば、全量１００μｌでの２０ＵのＤＮＡポリメラーゼＩに対して、ＤＮａｓｅＩの濃度を、約１０〜約３５０ｍＵ、好ましくは、約２５〜約２００ｍＵ、より好ましくは、約５０〜約１５０ｍＵの濃度に調整する。
【００５８】
さらに換言すれば、１単位のＤＮＡポリメラーゼＩに対して、約０．５／１０００〜約１７．５／１０００、好ましくは、約１．２５／１０００〜約１０／１０００、より好ましくは、約２．５／１０００〜約７．５／１０００単位のＤＮａｓｅＩを用いてニックトランスレーション反応を行うのが望ましい。  また、１μｇのＤＮＡについて着眼すれば、１０ＵのＤＮＡポリメラーゼＩに対して、ＤＮａｓｅＩを約５〜約１７５ｍＵ、好ましくは、約１２．５〜約１００ｍＵ、より好ましくは、約２５〜約７５ｍＵにすればよい。  他のプローブに関しては、上記した至適反応条件を参考にして、ＤＮＡ量、ＤＮＡポリメラーゼＩおよびＤＮａｓｅＩに関する至適反応条件を決定することができる。  加えて、効率よくラベル化でき、しかも外来微生物ＤＮＡと効率よくｉｎ  ｓｉｔｕハイブリダイゼーションできるプローブ鎖長（約３５０〜約６００塩基長）に調節することもできる。
【００５９】
ところで、ｉｎ  ｓｉｔｕハイブリダイゼーションを実施する際に用いられる「ストリンジェントな条件」とは、例えば、ホルムアミド約３０％〜約６０％、好ましくは、約５０％の存在下、約３０〜約５０℃、好ましくは、約３８〜約４２℃でインキュベートし、その後、洗浄を行う条件である。
【００６０】
Ｉｎ  ｓｉｔｕハイブリダイゼーションを行った後、ブロッキングの工程を加えることもできる。  具体的には、湿潤箱内でスライドグラス１枚につきブロッキング試薬（ウサギ正常血清２ｍｌとＰＢＳ原液０．５ｍｌを含み、かつ滅菌精製水にて全量を１０ｍｌに調製したもの）１ｍｌを塗抹部位に滴下し、約１５〜約６０分間静置する。  その後、ブロッキング試薬を除去する。
【００６１】
ハイブリダイズシグナルの検出
菌由来の遺伝子（ゲノムＤＮＡまたはＲＮＡ）とハイブリダイズした結果に生じるシグナルを検出するために、定法の抗原−抗体反応等を利用した呈色反応を行う。
【００６２】
すなわち、ハイブリダイゼーションを終えた試料を充分に洗浄した後に、ブロッキング処理を行い、次いで、抗ＦＩＴＣ抗体、抗ジゴキシゲニン抗体などの接合物、例えば、アルカリホスファターゼ接合物を用いて処理し、その後、接合物の発色系にてシグナルを発色して、ハイブリダイゼーションの状況を確認する。  例えば、プローブとして、ジゴキシゲニン−１１−ｄＵＴＰでラベルしたプローブを用いた場合、抗ジゴキシゲニン−アルカリホスファターゼ接合物を用い、一般に使用されるアルカリホスファターゼに対する基質（ニトロブルーテトラゾリウムおよび５−ブロモ−４−クロロ−３−インドリルホスフェート等）を利用して検出すればよい。
【００６３】
呈色反応の後に洗浄して得た塗沫標本は、ナフトールブラック、Ｆａｓｔ  Ｇｒｅｅｎ（２０ｍｇ／５０ｍｌ、Ｗａｋｏ  Ｃｈｅｍｉｃａｌｓ社製）等で対比染色を行い、光学顕微鏡によって検鏡すると細胞内シグナルが観察される。
【００６４】
詳細には、ハイブリダイゼーションによるシグナルを得るには、例えば、検出用ＤＮＡプローブとしてジゴキシゲニン標識ＤＮＡプローブを用いる場合には、標識抗体（アルカリフォスファターゼ標識抗ジゴキシゲニン抗体溶液１．０５単位、バッファーＡ（トリエタノールアミン７４６ｍｇ、塩化ナトリウム１７．５ｍｇ、塩化マグネシウム６水和物２０．３ｍｇ、塩化亜鉛１．３６ｍｇ、ウシ血清アルブミン１０００ｍｇおよび適量の塩酸を含み、かつ滅菌精製水適量にて全量を１００ｍｌに調製したもの）１２．６μｌにて全量を１４μｌに調製したもの）を標識抗体希釈液（トリス−（ヒドロキシメチル）−アミノメタン８．４８ｍｇ、塩化ナトリウム６．１４ｍｇおよび塩酸適量を含み、かつ適量の滅菌精製水で全量を０．７ｍｌに調製したもの）で約１０〜約２００倍、好ましくは、約５０倍に希釈した標識抗体液を調製し、これを塗抹部位に１０μｌずつ滴下して、約１５〜約６０分間静置する。  その後、標識抗体洗浄液（１ｍｌのポリソルベート２０と５０ｍｌのＰＢＳ原液を含み、かつ滅菌精製水にて全量を１００ｍｌに調製したもの）を約２倍〜約５０倍、好ましくは、約１０倍に希釈した溶液に浸し、そのままの状態で、振とう機上で約５〜約３０分間振とうする。  この操作を２回繰り返した後、発色前処理液１（トリス−（ヒドロキシメチル）−アミノメタン６．０６ｇ、塩化ナトリウム２．９２ｇおよび適量の塩酸を含み、かつ適量の滅菌精製水にて全量を５０ｍｌに調製したもの）と発色前処理液２（塩化マグネシウム６水和物５．０８ｇを含み、かつ滅菌精製水にて全量を５０ｍｌに調製したもの）を等量混合し、滅菌精製水で５倍程度に希釈した発色前処理液に浸し、そのままの状態で振とう機上で約５〜約３０分間振とうする。  その後、スライドグラス１枚につき発色試薬（ニトロブルーテトラゾリウム（ＮＢＴ）／５−ブロモ−４−クロロ−３−インドリルフォスフェイト（ＢＣＩＰ））１ｍｌを、０．２μｍシリンジトップフィルターを装着したディスポーザブルシリンジでろ過しながら、スライドグラスの塗抹部位に滴下し、湿潤箱中で約１０℃〜約４５℃、好ましくは、約３７℃で、約１５〜約６０分間遮光静置する。  その後、発色試薬洗浄液（トリス−（ヒドロキシメチル）−アミノメタン６０６ｍｇ、エチレンジアミン四酢酸二ナトリウム２水和物１８６ｍｇおよび適量の塩酸を含み、かつ適量の滅菌精製水で全量を５０ｍｌに調製したもの）を約２倍〜約５０倍、好ましくは、約１０倍に希釈した溶液に約２〜約１０分間浸し、風乾した後、対比染色液（ファストグリーンＦＣＦ（食用緑色３号）５０ｍｇを含み、かつ適量の滅菌精製水にて全量を５０ｍｌに調製したもの）を約２倍〜約５０倍、好ましくは、約１０倍に希釈した溶液、それに約０．１〜約５％、好ましくは、約１％の酢酸溶液に浸す。  その後、前出の発色試薬洗浄液を約２倍〜約５０倍、好ましくは、約１０倍に希釈した溶液に再度浸して余分の対比染色液を洗い流し、完全に風乾する。  また、発色試薬は、個別に調製した試薬でもよい。
【００６５】
アルカリフォスファターゼ標識抗ジゴキシゲニン抗体溶液は、ブロッティング用メンブレンに、ジゴキシゲニンをラベルしたＤＮＡの１ｎｇをブロットし、ブロッキング後、１０，０００倍に希釈したアルカリフォスファターゼ標識抗ジゴキシゲニン抗体溶液で処理し、発色基質（ＮＢＴ／ＢＣＩＰ）を反応させると、ＤＮＡのブロッティング部位が発色し、ジゴキシゲニンがラベルされていないＤＮＡで同様の操作をしても発色は認められないものを使用するのが望ましい。  また、抗ジゴキシゲニン抗体は、ヒツジ由来のものが好ましい。  詳細には、免疫処置したヒツジ血清より、イオン交換クロマトグラフィーと抗体カラムクロマトグラフィーを経て精製したものが好ましい。
【００６６】
発色試薬（ＮＢＴ／ＢＣＩＰ溶液、ｐＨ  ９．０〜１０．０）として、ニトロテトラゾリウムブルー（ＮＢＴ）３．３ｍｇ、５−ブロモ−４−クロロ−３−インドリルフォスフェイト（ＢＣＩＰ）１．６５ｍｇ、Ｎ，Ｎ−ジメチルホルムアミド９９μｇ、トリス（ヒドロキシメチル）アミノメタン１２１ｍｇ、適量の塩酸、塩化ナトリウム５８．４ｍｇ、および、塩化マグネシウム６水和物１０１．６ｍｇを含み、かつ適量の滅菌精製水にて全量を１０ｍｌに調製したものが好ましい。この発色試薬としては、アルカリフォスファターゼをラベルしたタンパク質をブロッティング用メンブレンにブロットし、発色試薬でメンブレンを遮光室温で処理すると、ブロット部位に暗紫色のシグナルが現れる試薬が好ましい。
【００６７】
このような対比染色を行う場合、シグナルと細胞のコントラストをさらに明確にさせるため、食用色素、例えば、黄色４号（タートラジン）を使用することができる。  その理由として、基質によって紫色を呈色し、また、ナフトールブラックにより青色を呈色するなど、発現した色が互いに類似していると、明確な対比染色が行いにくいことが挙げられる。  これまでに試されなかった食用色素を用いたところ、対比染色時の色相の差異が明確になり、実用的であることが判明した。
【００６８】
ところで、ジゴキシゲニンを標識化する方法として、ニックトランスレーション法を用いることができる。  また、ジゴキシゲニンを標識化するその他の方法として、ＰＣＲ法、ランダムプライマーラベリング法、ｉｎ  ｖｉｔｒｏトランスクリプションラベリング法、ターミナルトランスフェラーゼラベリング法なども使用可能である。
【００６９】
交差反応の有無の判定は、光学顕微鏡で鏡検（×１，０００）した際に、単一ウェルにおいて、対比染色液によって染色された細胞において、青紫色の発色が１つでも認められた場合に陽性と判定する。
【００７０】
また、検出用プローブの調製方法は、特許第２９６５５４４号を参照することで明らかになろう。
【００７１】
さらに、本発明のプローブ（例えば、プローブＥＣ−７）を、例えば、ワーキングセルバンクから釣菌して培養するには、エシェリヒア  コリ菌ＥＣ−７のワーキングセルバンクを、白金耳または使い捨てプラスチックループ等で釣菌して、これを滅菌シャーレ内に置いた５０μｇ／ｍｌアンピシリン含有Ｌ−ブロス固形培地に画線塗抹する。  一晩培養した後、シングルコロニーを採取し、５０μｇ／ｍｌアンピシリン含有のＬ−ブロス培地５ｍｌに植菌して、３７℃で終夜振とう培養する（前培養）。
次いで、前出の液体培地４００ｍｌが入った培養用フラスコに、前培養液を２．５ｍｌずつ植菌して、約３７℃で終夜振とう培養する（本培養）。
【００７２】
そして、エシェリヒア  コリ菌ＥＣ−７のプラスミドＤＮＡを抽出すべく、本培養した培養液を約４℃にて、約４，０００×ｇで１０分間遠心分離して集菌する。  培養上清を除去し、ＳＴＥ（１０ｍｍｏｌ／ｌ  トリス塩酸（ｐＨ  ８．０）、１ｍｍｏｌ／ｌ  エチレンジアミン−四酢酸２ナトリウム塩（ＥＤＴＡ）、０．１ｍｍｏｌ／ｌ  塩化ナトリウム）を２０ｍｌ加えて菌体を再懸濁し、約４℃にて、４，０００×ｇで１０分間遠心分離して集菌する。  １０ｍｇ／ｍｌリゾチームを含む溶液−１（５０ｍｍｏｌ／ｌ  グルコース、２５ｍｍｏｌ／ｌ  トリス塩酸（ｐＨ  ８．０）、１０ｍｍｏｌ／ｌ  ＥＤＴＡ）５ｍｌを加え、菌体を懸濁して、室温で５分間放置する。
溶液−２（０．２ｍｍｏｌ／ｌ  水酸化ナトリウム、１％ドデシル硫酸ナトリウム（ＳＤＳ））１０ｍｌを加え、転倒混和して、氷上で１０分間放置する。  氷冷した溶液−３（３ｍｏｌ／ｌ酢酸カリウム（ｐＨ  ４．８））７．５ｍｌを加え、転倒混和して氷上で１０分間放置する。
高速冷却遠心機を用いて、約４℃にて、約４５，０００×ｇで３０分間遠心分離した後、上清を回収し、室温になるまで放置する。  その後、０．６容量（約２４ｍｌ）のイソプロパノールを加え、転倒混和して、室温で１５分以上放置する。  高速冷却遠心機を用いて、約２５℃にて、約２８，０００×ｇで３０分間遠心分離した後、上清を捨て、７０％エタノールでペレットを洗浄し風乾する。  風乾した後、ＴＥ（１０ｍｍｏｌ／ｌ  トリス塩酸（ｐＨ  ８．０）、１ｍｍｏｌ／ｌ  ＥＤＴＡ）を８ｍｌ加えて、溶解する（プラスミドＤＮＡの抽出）。
【００７３】
次に、プローブＥＣ−７含有プラスミドＤＮＡの精製を行う。  得られたプラスミドＤＮＡに対して、１０ｍｇ／ｍｌエチジウムブロマイド８００μｌおよび塩化セシウム８．６ｇを加え、転倒混和して溶解させる。  その溶解液を超遠心用チューブに入れ、キャップまたはシールをする。  垂直型ローターにより、約２０℃にて、５００，０００×ｇで５時間超遠心した後、紫外線ライト照射下で注射筒または注射針を使用して、プラスミドＤＮＡのバンドを分取する。  分取したプラスミドＤＮＡ溶液に、等量のＴＥ飽和  ｌ−ブタノールを加えて転倒混和し、微量高速遠心機を用いて、約１５，０００×ｇで、５分間遠心分離し、上清を取り除く。  この操作を繰り返し、プラスミドＤＮＡ溶液中のエチジウムブラマイドを取り除く。  次に、ＴＥを加えて１．５ｍｌの体積とし、脱塩カラム（ＮＡＰ−１０）で脱塩する。  脱塩したプラスミドＤＮＡ溶液に、３ｍｏｌ／ｌ  酢酸ナトリウム溶液を３０μｌ加えて混和した後、３倍量の９９．５％エタノールを加えて転倒混和し、−２０℃で、３０分以上放置する。  その後、微量冷却高速遠心機を用いて、４℃にて、１５，０００×ｇで２０分間遠心分離して上清を除いた後、冷７０％エタノールを加えて懸濁する。  そして、再度、微量冷却高速遠心機を用いて、４℃にて、１５，０００×ｇで２０分間遠心分離して上清を除き、プラスミドＤＮＡの沈渣を減圧下で乾固させる。  プラスミドＤＮＡに１００μｌのＴＥを加えて完全に溶解させ、２６０ｎｍの吸光度にて濃度を測定する（プローブＥＣ−７含有プラスミドＤＮＡの精製）。  その後、プローブＥＣ−７含有プラスミドＤＮＡの制限酵素処理、およびアガロース電気泳動によってプラスミドＤＮＡのサイズチェックを行う。
【００７４】
次いで、プローブＥＣ−７含有プラスミドＤＮＡの制限酵素処理およびアガロース電気泳動によってプローブＥＣ−７の精製を行う。  そのために、分子量確認が終了したプローブＥＣ−７含有プラスミドＤＮＡ１ｍｇを、制限酵素ＨｉｎｄＩＩＩ単独もしくは他の制限酵素と組み合わせて、３７℃で、１．５時間以上の時間をかけて反応を進行せしめることにより消化する。
【００７５】
プラスミドＤＮＡを消化した後、反応液の一部を０．８％アガロースで電気泳動して、消化が完全に終了したことを確認する。  消化を確認した後、分取用の０．８％アガロースゲルで電気泳動し、プローブＥＣ−７のバンドを採取する。  採取したプローブＥＣ−７をアガロースゲルから抽出および精製して、吸光度計にてその濃度を測定する。
【００７６】
精製したプローブＥＣ−７の一部を、０．８％アガロースゲルで電気泳動し、シングルバンドであることを確認する。
【００７７】
次に、プローブＥＣ−７のラベル化を行うために、以下の表１に記載の組成を有する反応液において、精製したＥＣ−７の２μｇに対してジゴキシゲニンの標識付けを行う。
【００７８】
【表１】
2004173626.tif 000002
【００７９】
表１において、「Ｘ」とは、プローブ原液の濃度に応じて好ましいプローブ濃度となるように添加することができる容量を指し、この容量に伴い精製水量Ｙを決定して最終容量を調整する。
【００８０】
標識付した後、反応液にＴＥを１００μｌ  加えて反応を停止させる。  反応停止液をスピンカラムに注入し、約４℃にて、約３８０×ｇで約１０分間遠心分離して、遊離のヌクレオチドを除く。  次に、溶出液の濃度を吸光度計により測定し、ＴＥで約１０ｎｇ／μｌ  に調製する。
【００８１】
標識付けを確認するために、標識付けしたプローブＥＣ−７の０．５μｌをメンブレンに滴下して、風乾する。  ブロッキング試薬にこのメンブレンを浸し、室温で３０分間ブロッキングする。  ０．１ｍｏｌ／ｌ  トリス塩酸（ｐＨ  ７．５）と０．１５ｍｏｌ／ｌ  塩化ナトリウムで５，０００倍に希釈したアルカリフォスファターゼ標識抗ジゴキシゲニン抗体溶液に、そのメンブレンを室温で３０分間浸す。  ０．１ｍｏｌ／ｌ  トリス塩酸（ｐＨ  ７．５）および０．１５ｍｏｌ／ｌ  塩化ナトリウムにメンブレンを浸し、室温で約１０分間振とうして、２回洗浄する。  ０．５ｍｏｌ／ｌ  トリス塩酸（ｐＨ  ９．５）、０．１５ｍｏｌ／ｌ  塩化ナトリウム、５０ｍｍｏｌ／ｌ  塩化マグネシウムに、室温下で、メンブレンを約１０分間浸す。  室温および遮光下で、発色試薬にメンブレンを、約１０分間浸す。  メンブレンをＴＥに浸し、発色を停止させる。  スポット下部分の青紫色の発色で、標識付の確認を行う。
【００８２】
１ｍｌのディスポーザブルシリンジに、少量の滅菌済みグラスウールを充填してスピンカラムを作製する。  １ｍｍｏｌ／ｌ  トリス塩酸（ｐＨ  ７．５）、１ｍｍｏｌ／ｌのＥＤＴＡ、０．１％  ＳＤＳで膨潤させたセファデックスＧ−５０をシリンジに詰める。  １５ｍｌのディスポーザブルコニカルチューブにシリンジを入れ、約４℃にて、約３２０×ｇで約１０分間遠心分離し、余分の緩衝液を落とす。  ディスポーザブルコニカルチューブからシリンジを抜き、排出された緩衝液を捨てた後、１．５ｍｌのエッペンドルフ型チューブをディスポーザブルコニカルチューブの底に入れ、その上にシリンジを入れる。
【００８３】
ドットブロットハイブリダイゼーション
プローブの特異性を確認するために、以下の手順に従って、ドットブロットハイブリダイゼーションを行う。
【００８４】
まず、スポットした各ゲノムＤＮＡを変性するために、定法に従い０．５ｍｏｌ／ｌ  水酸化ナトリウム、１．５ｍｏｌ／ｌ  塩化ナトリウム溶液で飽和した濾紙（ワットマン社製３ＭＭ）上に、調製した各種細菌ゲノム１００ｎｇ  をナイロンメンブレン（ポールバイオダインタイプＢ、日本ポール社製）にスポットし、風乾したメンブレンを１０分間静置する。  次に、０．５ｍｏｌ／ｌ  トリス塩酸（ｐＨ  ７．５）、１．５ｍｏｌ／ｌ  塩化ナトリウム溶液で飽和した前出の濾紙上に１０分間静置して変性ＤＮＡを中和する。  さらに２×ＳＳＣ（Ｓｔａｎｄａｒｄ  Ｓａｌｉｎｅ  Ｃｉｔｒａｔｅ）溶液で飽和した前出の濾紙上に５分間静置し、洗浄する。
【００８５】
そして、メンブレンを風乾し、２×ＳＳＣ溶液にメンブレンを浸し、５分間浸透する。  定法に従い、プラスチックバッグ内でプレハイブリタイゼーション溶液にメンブレンを浸し、４２℃で、６０分間親和させる。  プラスチックバッグ内でプローブ４００ｎｇを含むハイブリタイゼーション溶液の１５ｍｌにメンブレンを浸し、４２℃で、一晩反応させる。  次に、２×ＳＳＣ、０．１％  ＳＤＳ（ラウリル硫酸ナトリウム）溶液にメンブレンを浸し、５分間洗浄する（この工程を２回繰り返す）。  その後、０．１×ＳＳＣ、０．１％ＳＤＳ溶液にメンブレンを浸し、６０℃で、１０分間洗浄する（この工程を３回繰り返す）。  ２×ＳＳＣ溶液にメンブレンを浸し、５分間洗浄する。  メンブレンを３％ウシ血清アルブミン、１％ブロッキングバッファー（ベーリンガー社製）、０．１ｍｏｌ／ｌ  トリス塩酸（ｐＨ  ７．５）、０．１５ｍｏｌ／ｌ  塩化ナトリウムを含む溶液にメンブレンを浸し、３０分間緩慢に振とうする。
【００８６】
次いで、アルカリフォスフアターゼ標識抗ジゴキシゲニン抗体（ベーリンガー社製）を、０．１ｍｏｌ／ｌ  トリス塩酸（ｐＨ  ７．５）および０．１５ｍｏｌ／ｌ  塩化ナトリウム溶液で５，０００倍希釈した溶液にメンブレンを浸し、３０分間緩慢に振とうする。  次に、０．１ｍｏｌ／ｌ  トリス塩酸（ｐＨ  ７．５）、０．１５ｍｏｌ／ｌ  塩化ナトリウム溶液にメンブレンを浸し、１５分間振とうする（この工程を２回繰り返す）。  ０．１ｍｏｌ／ｌ  トリス塩酸（ｐＨ  ９．５）、０．１ｍｏｌ／ｌ  塩化ナトリウム、５ｍｍｏｌ／ｌ  塩化マグネシウムを含む溶液にメンブレンを浸し、５分間振とうする。  ＮＢＴ−ＢＣＩＰ溶液（ＧＩＢＣＯ  ＢＲＬ社製）にメンブレンを浸し、遮光下で発色反応させる。  ＴＥ（１０ｍｍｏｌ／ｌ  トリス塩酸（ｐＨ  ８．０）、１ｍｍｏｌ／ｌ  ＥＤＴＡ）にメンブレンを浸し、発色反応を止め、風乾する。  プレハイブリダイゼーション溶液およびハイブリダイゼーション溶液の組成を、以下の表２に示す。
【００８７】
【表２】
2004173626.tif 000003
【００８８】
前述したｉｎ  ｓｉｔｕハイブリダイゼーション工程において使用される界面活性剤としては、公知の界面活性剤が使用できる。
【００８９】
界面活性剤は、アニオン界面活性剤、非イオン性界面活性剤、カチオン界面活性剤および両性界面活性剤に大別される。
【００９０】
アニオン界面活性剤とは、陰イオン界面活性剤とも称されるものであって、水中で電離して有機陰イオンとなるものである。  界面活性剤の分子中の親油基をＲとして表現すると、ＲＣＯＯＮａ、ＲＳＯ３Ｎａ、ＲＳＯ４Ｎａの式で表される。  ＲＣＯＯＮａのように弱酸性基を含有するものでは、その水溶液は加水分解しやすく弱アルカリ性を呈するが、ＲＳＯ３Ｎａ，  ＲＳＯ４Ｎａなどの強酸性基を有するものでは、その水溶液は、加水分解を受けにくく、中性を呈する。  陰イオン性であるから、多量の陽イオン性物質の存在で界面活性を失うことがあり、また強酸性にした時にも失活する。
【００９１】
非イオン性界面活性剤とは、親水基が非イオン性のものをいう。  親水基として酸化エチレン基（−ＣＨ２ＣＨ２Ｏ−）が多用され、この官能基の数が多くなるに従って、親水性が増す。  反対に、親油基の炭素数が増加すると、親油性が増加する。
【００９２】
従って、親水性・親油性を様々に変化させた界面活性剤が得られるのが特徴である。  非イオン性界面活性剤は、水中で電離せず、無機塩の影響も受けにくいため、生体に及ぼす作用も少ない。  しかも、洗浄作用は、強力で、泡立ちは比較的少ないため、洗剤のみならず、医薬品、化粧品、食品などの様々な用途で使用される。  水溶性の非イオン性界面活性剤は、温度が上昇すると、ある時点で水に溶解しにくくなり、水溶液が濁り出すが、これは親水基と水との水素結合が切断されるために生じる。
【００９３】
カチオン界面活性剤は、陽イオン界面活性剤とも称され、これは、水中で、電離して有機陽イオンとなるものである。  カチオン界面活性剤は、一般に洗浄作用は大きくはないが、細菌などのアニオン性のものと強く結合するため、殺菌作用が大きい。  また、繊維やプラスチックでの帯電防止能もある。  代表的なカチオン界面活性剤であるドデシルトリメチルクロリド［Ｃ１２Ｈ２５（ＣＨ３）３Ｎ］Ｃｌは水溶性であるが、一方で、ジドデシルジメチルアンモニウムクロリド［（Ｃ１２Ｈ２５）２（ＣＨ３）２Ｎ］Ｃｌは水に溶解しにくく、水中では２分子膜状のベシクルを形成し、これはベンゼンには溶解する。
【００９４】
両性界面活性剤とは、分子内にアニオン基とカチオン基の両者を併せ持っている界面活性剤である。  水溶液中での電離状態はアミノ酸に類似しており、両性界面活性剤には、アミノ酸誘導体が多く存在する。  従って、アミノ酸と同様に等電点を有し、等電点よりアルカリ性側にある場合にはアニオン界面活性剤として、酸性側にある場合にはカチオン界面活性剤として作用する。  等電点で水溶性は最低となり、表面張力も最も低下する。  両性界面活性剤は、殺菌剤、帯電防止剤などの用途に用いられている。
【００９５】
また、アニオン界面活性剤は、カルボン酸型、スルホン酸型、硫酸エステル型およびリン酸エステル型に分類され、非イオン性界面活性剤は、エステル型、エーテル型、エステルエーテル型およびアルカノールアミド型に分類される。  カチオン界面活性剤は、アルキルアミン塩型および第四級アンモニウム塩型に分類され、両性界面活性剤は、カルボキシベタイン型、２−アルキルイミダゾリンの誘導型およびグリシン型に分類される。
【００９６】
さらに、アニオン界面活性剤のカルボン酸型は、脂肪酸モノカルボン酸塩、Ｎ−アシルサルコシン塩およびＮ−アシルグルタミン酸塩に細分される。  それぞれの代表例として、脂肪酸モノカルボン酸塩として、ラウリン酸ナトリウムおよび薬用石鹸が、Ｎ−アシルサルコシン塩として、Ｎ−ラウロイルサルコシンナトリウム、Ｎ−アシルグルタミン酸塩、それに、Ｎ−ラウロイルグルタミン酸二ナトリウムなどがある。  また、スルホン酸型は、ジアルキルスルホコハク酸塩、アルカンスルホン酸塩、アルファオレフィンスルホン酸塩、直鎖アルキルベンゼンスルホン酸塩、アルキル（分岐鎖）  ベンゼンスルホン酸塩、アルキルナフタレンスルホン酸塩、ナフタレンスルホン酸塩−ホルムアルデヒド縮合物およびＮ−メチル−Ｎ−アシルタウリン塩に細分される。  その代表例として、ジアルキルスルホコハク酸塩として、ジオクチルスルホコハク酸ナトリウム、アルカンスルホン酸塩はドデカンスルホン酸ナトリウム、直鎖アルキルベンゼンスルホン酸塩には直鎖ドデシルベンゼンスルホン酸ナトリウムが、また、アルキル（分岐鎖）ベンゼンスルホン酸塩として、ドデシルベンゼンスルホン酸ナトリウム、アルキルナフタレンスルホン酸塩として、ブチルナフタレンスルホン酸ナトリウム、Ｎ−メチル−Ｎ−アシルタウリン塩としてはＮ−メチル−Ｎ−ステアロイルタウリンナトリウムなどがある。
【００９７】
また、硫酸エステル型は、アルキル硫酸塩、ポリオキシエチレンアルキルエーテル硫酸塩および油脂硫酸エステル塩に細分される。  その代表例として、アルキル硫酸塩として、ドデシル硫酸ナトリウム、ラウリル硫酸ナトリウムおよびセチル硫酸ナトリウム、ポリオキシエチレンアルキルエーテル硫酸塩はポリオキシエチレンラウリルエーテル硫酸トリエタノールアミンなどがある。  また、リン酸エステル型は、アルキルリン酸塩、ポリオキシエチレンアルキルエーテルリン酸塩およびポリオキシエチレンアルキルフェニルエーテルリン酸塩に細分される。  その代表例として、アルキルリン酸塩として、モノラウリルリン酸二ナトリウムがある。
【００９８】
ポリオキシエチレンアルキルエーテルリン酸塩には、リン酸ナトリウムポリオキシエチレンラウリルエーテルおよびリン酸ポリオキシエチレンオレイルエーテル（８ＭＯＬ）がある。
【００９９】
非イオン性界面活性剤のエステル型は、脂肪酸グリセリン、脂肪酸ソルビタンおよび脂肪酸ショ糖エステルに細分される。  それぞれの代表例として、脂肪酸グリセリンとして、モノステアリン酸グリセリン、脂肪酸ソルビタンとしてはモノステアリン酸ソルビタン、トリオレイン酸ソルビタン、セスキオレイン酸ソルビタン、モノラウリン酸ソルビタン、ポリソルベート２０（ポリオキシエチレンソルビタン脂肪酸エステル）、ポリソルベート６０およびポリソルベート８０、脂肪酸ショ糖エステルはステアリン酸ショ糖エステルがある。  また、エーテル型は、ポリオキシエチレンアルキルエーテル、ポリオキシエチレンアルキルフェニルエーテルおよびポリオキシエチレンポリオキシプロピレングリコールに細分される。  その代表例として、ポリオキシエチレンアルキルエーテルとして、ポリオキシエチレンラウリルエーテル、ポリオキシエチレンステアリルエーテルおよびポリオキシエチレンセチルエーテルなどがあり、ポリオキシエチレンアルキルフェニルエーテルとして、ポリオキシエチレンノニルフェニルエーテルおよびポリオキシエチレンオクチルフェニルエーテルがある。  また、エステルエーテル型は、脂肪酸ポリエチレングリコールおよび脂肪酸ポリオキシエチレンソルビタンに細分される。  それそれの代表例として、脂肪酸ポリエチレングリコールには、オレイン酸ポリエチレングリコールが、また、脂肪酸ポリオキシエチレンソルビタンには、パルミチン酸ポリオキシエチレンソルビタンおよびポリオキシエチレンソルビタンモノラウレートなどがある。  また、アルカノールアミド型は、脂肪酸アルカノールアミドだけであり、ラウリン酸ジエタノールアミドがその代表例である。
【０１００】
カチオン界面活性剤のアルキルアミン塩型には、モノアルキルアミン塩、ジアルキルアミン塩およびトリアルキルアミン塩があり、モノステアリルアミン塩酸塩がその代表例である。  また、第四級アンモニウム塩型は、塩化（または臭化、沃化）アルキルトリメチルアンモニウム、塩化（または臭化、沃化）ジアルキルジメチルアンモニウム、および塩化アルキルベンザルコニウムに細分される。それぞれの代表例として、塩化（または臭化、沃化）アルキルトリメチルアンモニウムとして、塩化ステアリルトリメチルアンモニウムが、塩化（または臭化、沃化）ジアルキルジメチルアンモニウムとして、塩化ジステアリルジメチルアンモニウムが、また、塩化アルキルベンザルコニウムとして、塩化ラウリルベンザルコニウムがある。
【０１０１】
両性界面活性剤のカルボキシベタイン型には、アルキルベタインしかなく、ラウリルベタインが、その代表例である。  また、２−アルキルイミダゾリンの誘導型としては、２−アルキル−Ｎ−カルボキシメチル−Ｎ−ヒドロキシエチルイミダゾリニウムベタインだけであり、２−ウンデシル−Ｎ−カルボキシメチル−Ｎ−ヒドロキシエチルイミダゾリニウムベタインが、その代表例として挙げられる。  また、グリシン型として、アルキル（またはジアルキル）ジエチレントリアミノ酢酸があり、その代表例として、ジオクチルジエチレントリアミノ酢酸がある。
【０１０２】
さらに、上掲のものに加えて、Ｔｒｉｔｏｎ  Ｘ−１００、ラウリルサルコシン、サポニン、ＢＲＩＪ３５、アルキルアリルポリエーテルアルコール、高級アルコール硫酸化物、Ｎ−ココイル−Ｌ−アルギニンエチルエステルＤＬ−ピロリドンカルボン酸塩、Ｎ−ココイル−Ｎ−メチルアミノエチルスルホン酸ナトリウム、コレステロール、自己乳化型モノステアリン酸グリセリン、スクワラン、ステアリルアルコール、ステアリン酸ポリオキシル４０、セタノール、セトマクロゴール１０００、セバシン酸ジエチル、ノニルフェノキシポリオキシエチレンエタン硫酸エステルアンモニウム、ポリオキシエチレンオレイルアミン、ポリオキシエチレンソルビットミツロウ、ポリオキシル３５ヒマシ油、マクロゴール４００、Ｎ−ヤシ油脂肪酸アシルＬ−アルギニンエチル・ＤＬ−ピロリドンカルボン酸塩、ラウリルジメチルアミンオキシド液、ラウロマクロゴール、メチルセルロース、ＣＭＣ（カルボキシメチルセルロース）、ポリオキシエチレン硬化ヒマシ油２０およびポリオキシエチレン硬化ヒマシ油６０、ＣＨＡＰＳ、デオキシコール酸、ジギトニン、ｎ−ドデシルマルトシド、ノニデットＰ４０、ｎ−オクチルグルコシド、オクチルチオグルコシド、ラウリル酸シュクロース、ドデシルポリ（エチレングリコールエーテル）ｎ，ｎ−ドデシル−Ｎ，Ｎ−ジメチル−３−アンモニオ−１−プロパンスルフォネート等も利用することができる。
【０１０３】
上掲の各種界面活性剤は、ｉｎ  ｓｉｔｕハイブリダイゼーションの工程において使用されることが重要であり、その使用方法は特に限定されない。  例えば、プローブ液またはプローブ希釈液中に混合されていてもよいし、プローブ液とは別に調製した界面活性剤を含有する溶液を、プローブ液を塗抹部位に塗布する前、同時または後に添加してもよいし、当業者は適宜変更することができる。
【０１０４】
なお、本発明において、必要に応じて、陽性コントロールフローブを調製することもできる。  例えば、まず、Ｕ９３７細胞（ＡＴＣＣ  ＣＲＬ−１５９３．２）のゲノムＤＮＡの抽出と精製を行うために、３７℃、５％炭酸ガスインキュベーター内で、ＲＰＭＩ１６４０培地（２５ｍｌ）を入れた細胞培養フラスコ（１７５ｃｍ３）内でＵ９３７細胞を培養する。
【０１０５】
Ｕ９３７培養液を５０ｍｌの遠沈管に入れ、４℃にて、２２０×ｇで１０分間遠心分離し、Ｕ９３７細胞を回収する。  細胞を１０ｍｌのＰＢＳで懸濁洗浄し、再度４℃にて、１８０×ｇで１０分間遠心分離し、細胞を回収する。  その後、上清を廃棄して、細胞を１ｍｌの２００μｇ／ｍｌプロテネースＫ含有１％ＳＤＳ含有ＴＥ溶液で懸濁し、３７℃で３０分間放置する。  フェノール抽出を３〜４回繰り返し、除蛋白を行う。  エタノール沈殿によって析出したゲノムを回収し、５００μｌの２．５μｇリボヌクレアーゼ含有滅菌精製水に溶解し、４２℃で３０分間放置する。  フェノール抽出を２〜３回繰り返し、除蛋白を行う。  エタノール沈殿によって析出したゲノムを回収し、５００μｌのＴＥに溶解する。  その後、吸光度計により濃度を測定し、ジゴキシゲニンラベルに供することにより、陽性コントロールプローブを作製することができる。
また、陽性コントロールプローブは、Ｕ９３７ゲノムを１００ｎｇスポットしたメンブレンに、陽性コントロールプローブをドットハイブリダイゼーションした時に、ハイブリッド形成が確認できるものを用いるのがよい。
【０１０６】
同様に、必要に応じて、陰性コントロールプローブを公知の方法で調製することもできる。
【０１０７】
その他の実施態様
本発明の検出方法を利用したエシェリヒア  コリ菌の検出および／または同定用キットも、本発明によって提供される。  本発明のキットによれば、ＤＮＡを得る工程で使用される酵素（ＤＮＡ露出処理剤）が、少なくとも、リゾスタフィン、リゾチーム、Ｎ−アセチルムラミダーゼ、ザイモラーゼからなるグループから選択される１種以上の酵素、界面活性剤が添加されたプローブ液、それに、１種以上の検出用ＤＮＡプローブを具備している。  本発明のキットには、以下の実施例に例示するような、血液分離試薬、酵素前処理試薬、酵素試薬、アセチル化試薬、プローブ液、ブロッキング試薬、標識抗体、標識抗体希釈液、発色前処理液−１、発色前処理液−２、発色試薬、対比染色液、ＰＢＳ原液、ハイブリダイゼーション原液、標識抗体洗浄液、発色試薬洗浄液、ＡＰＳコートスライドグラス、プローブ希釈液、バッファーＡ等を利用することが可能である。  これらの内、少なくとも、酵素試薬とプローブ液とを含むことが好ましい。  また、クロロホルム、エタノール、無水酢酸、ＤＭＳＯ、ＰＭＳＦ、ホルムアミド、酢酸、塩酸、水酸化ナトリウム等の各種試薬を用いることも可能である。  さらに、低速遠心機、恒温器、血球計算盤、振とう機、湿潤箱、恒温槽、光学顕微鏡、可変式ピペット、採血管、チップ、ピペット、染色ビン、メスシリンダー、注射筒、０．２μｍシリンジトップフィルターなどの器具を装備していてもよい。
【０１０８】
本発明によれば、生体由来の食細胞を含む臨床検体中に含まれる、食細胞によって貪食された外来微生物の遺伝子をモニターする方法が提供される。
【０１０９】
また、本発明によれば、原因菌の候補となる微生物の遺伝子を同定する工程を含み、同定された結果に基づいて敗血症原因菌または菌血症原因菌を特定する方法も提供される。  この方法によれば、様々な敗血症が疑われた患者血液の診断に実際に応用したところ、投与された抗菌薬の影響を受けることなく、血液培養法に比べて約４倍の感度で起因菌を検出することができ、検出菌株の一致率は良好であることが明らかになっている。  そして、血液培養では、検査に少なくとも３日以上、通常は１４日程度を要するのに比較して、本発明の方法によれば全操作完了までに約８時間という極めて短時間の簡便な操作によって正確な結果を得ることができる。  従って、この方法によれば、敗血症または菌血症などの、速やかに、かつ的確な対処が必要とされる感染症の診断や予後診断のモニター等において有用マーカーが提供されるのである。
【０１１０】
また、本発明のプローブの塩基配列情報を参照してプライマーをデザインすれば、ハイブリダイゼーションを行わなくとも、ＰＣＲ法によるＤＮＡの増幅によって、感染症原因菌の同定も可能となるのである。
【０１１１】
さらに、本願発明のプローブまたはその断片をＤＮＡチップに組み込んで利用できることも明らかである。  そうすれば、ＤＮＡチップを用いて、エシェリヒア  コリ菌の存在の確定が可能となる。
【０１１２】
加えて、本発明で開示した塩基配列は、エシェリヒア  コリ菌のゲノミックＤＮＡをランダムにクローニングして得られたものであり、それ故、本発明の塩基配列の有用性はその相補鎖にまで及ぶものである。  さらに、野性株が保有するＤＮＡに変異部分が存在することは当然考えられるが、一般的に、本発明のプローブと７０％程度、好ましくは７０％以上、より好ましくは８０％以上、さらに好ましくは９０％以上のホモロジーを有する塩基配列は、本発明の目的を達成することができると考えられるので、本発明にはこれら相同配列も当然に包含されるものである。
【０１１３】
エシェリヒア コリ菌の検出および同定
臨床検体からのエシェリヒア  コリ菌の一般的な検出および同定のための手順の具体例を、以下に詳述する。
【０１１４】
（１）  採血および血液検体の処理
臨床検体として、敗血症が疑われた患者より採取した血液検体を用いる。  各患者からヘパリン加静脈血１０ｍｌを採取し、採取した血液と血液分離試薬（塩化ナトリウム２２５ｍｇ、デキストラン（分子量：２００，０００〜３００，０００）１．５ｇ、滅菌精製水にて全量２５ｍｌに調製したもの）を４：１の割合で混和した後、３７℃で３０分間静置することにより、白血球画分（上層）を取得する。  このようにして得た白血球画分を４℃にて１６０×ｇで１０分間遠心分離することで、白血球を得る。  次に、得られた白血球のペレットに滅菌精製水１ｍｌを加えて懸濁し、直ちに過剰量のＰＢＳ（塩化ナトリウム１８．２４ｇ、リン酸一水素ナトリウム１２水和物６．０１２ｇ、リン酸二水素ナトリウム２水和物１．１２３ｇ、滅菌精製水にて全量１２０ｍｌにしたもの（ＰＢＳ原液）を滅菌精製水にて２０倍に希釈したもの）を加えて等張化した後、再度４℃下で、１６０×ｇで１０分間遠心分離を行う。
【０１１５】
（２）  白血球の固定
３−アミノプロピルトリエトキシシラン（ＡＰＳ、ＳＩＧＭＡ社）をスライドグラス（商品番号ＭＳ３１１ＢＬ、日本エアーブラウン社製）にコートしたＡＰＳコートスライドグラスを使用する。
【０１１６】
ＡＰＳコートスライドグラスの作製に当たって、まず、スライドホルダーにスライドグラス（ＭＳ３１１ＢＬ）を固定した後、希釈した中性洗剤中に３０分以上浸して洗浄し、水道水で洗剤を十分に取り除き、次に、スライドグラスを精製水にて洗浄し、高温（１００℃以上）で十分に乾燥させた後、室温で放置冷却する。  その後、スライドグラスを２％ＡＰＳ含有アセトンに１分間浸し、直ちにアセトン及び滅菌精製水で順次軽く洗浄した後、風乾する。  さらに再度、スライドグラスを２％ＡＰＳ含有アセトンに１分間浸し、直ちにアセトンおよび滅菌精製水で順次軽く洗浄する。  その後、風乾する操作を行った後に、４２℃で乾燥させることで、ＡＰＳコートスライドグラスを作製する。
【０１１７】
白血球画分を、４℃にて１６０×ｇで１０分間遠心分離することにより得た白血球ペレットに、少量のＰＢＳを加えて懸濁し、血球計算盤を用いて白血球数を計測する。
【０１１８】
細胞数が１×１０５個／ウェルとなるようにＰＢＳで調製した白血球懸濁液５μｌを、ＡＰＳコートスライドグラスの各ウェルに白血球が単層に広がるように塗抹し、完全に風乾することにより、白血球をＡＰＳコートスライドグラスに支持させる。
【０１１９】
その後、カルノア固定液（エタノール：クロロホルム：酢酸＝６：３：１で混合して得た固定液）に２０分間浸した後、７５％エタノール液に５分間浸し、完全に風乾させる。
【０１２０】
（３）  白血球細胞膜の透過性亢進処理
ＰＢＳに１０分間浸した後、酵素前処理試薬（サポニン１．２５ｇ、ｔ−オクチルフェノキシポリエトキシエタノール（比重１．０６８〜１．０７５（２０／４℃）、ｐＨ（５ｗ／ｖ％）  ５．５〜７．５）１．２５ｍｌ、ＰＢＳ原液２５ｍｌを混合し、滅菌精製水で全量を５０ｍｌに調製したもの）を滅菌精製水で１０倍に希釈した溶液に浸し、振とう機で１０分間振とうさせる。
【０１２１】
（４）  菌体壁の溶菌酵素処理
スライドグラス１枚につき酵素試薬（ザイモラーゼ２００単位／ｍｌ、Ｎ−アセチルムラミダーゼ１，０００単位／ｍｌ、リゾチーム１００，０００単位／ｍｌおよび／またはリゾスタフィン１００単位／ｍｌ）に酵素試薬溶解液（ＰＢＳで０．１ｍｏｌ／ｌ  フェニルメチルスルフォニルフルオライド（ＰＭＳＦ）含有ジメチルスルフォキシド（ＤＭＳＯ）を１００倍希釈して調製したもの）を１ｍｌ加えて酵素試液を調製する。  その後、感染症原因菌のＤＮＡを得るために、３７℃〜４２℃の湿潤箱中で、この酵素試液１ｍｌを白血球塗抹部位に滴下し、３０分間静置することによって、感染症原因菌のＤＮＡを露出させる。  その後、０．２ｍｏｌ／ｌ  塩酸含有ＰＢＳ（ＰＢＳ原液に塩酸を加え、滅菌精製水にて２０倍希釈し、塩酸の終濃度を０．２ｍｏｌ／ｌ  に調製したもの）に浸し、そのまま振とう機上で１０分間振とうする。
【０１２２】
（５）  細胞膜タンパク質のアセチル化
アセチル化試薬（トリエタノールアミン７．４６ｇと適量の塩酸を含み、適量の滅菌精製水で全量を５０ｍｌとしたもの）に無水酢酸を加え、滅菌精製水で１０倍希釈し、無水酢酸の終濃度を０．８％に調整したアセチレーション試薬にスライドグラスを浸し、振とう機上で１０分間振とうする。  その後、７５％、８５％、９８％エタノールに、順次３分間ずつ浸し、完全に風乾させる。
【０１２３】
（６）  菌体ＤＮＡのアルカリ処理［二本鎖ＤＮＡを一本鎖ＤＮＡに変性］
スライドグラスを、７０ｍｍｏｌ／ｌ  水酸化ナトリウム含有ＰＢＳ（ＰＢＳ原液に水酸化ナトリウムを加え、滅菌精製水で２０倍希釈し、水酸化ナトリウムの終濃度を７０ｍｍｏｌ／ｌ  に調製したもの）に３分間浸す。  その後、７５％、８５％、９８％エタノールに、順次３分間ずつ浸し、完全に風乾させる。
【０１２４】
（７）  ハイブリダイゼーション
プローブ希釈液（０．５％ＳＤＳ、サケ精子ＤＮＡ６００μｌ、１００×デンハート溶液５０μｌ、ハイブリダイゼーション原液５００μｌ、ホルムアミド２２５０μｌ、５０％硫酸デキストラン１０００μｌが含まれる）にて調製したジゴキシゲニン標識ＤＮＡプローブ１５ｎｇを含有する液（プローブ液、１．０ｎｇ／μｌ）を塗抹部位に塗布し、３７℃〜４２℃の湿潤箱内に２時間静置させる。  ジゴキシゲニン標識ＤＮＡプローブは、ニックトランスレーション法で調製する。  その後、ハイブリダイゼーション洗浄液（ハイブリダイゼーション原液（塩化ナトリウム１３．１５ｇ、クエン酸三ナトリウム２水和物６．６１５ｇ、滅菌精製水にて全量７５ｍｌに調製したもの、前出）をハイブリダイゼーション原液：滅菌精製水：ホルムアミド＝５：４５：５０の割合で混合して調製したもの）を３つの染色ビンに用意し、順次４２℃で１０分間ずつ浸す。  その後、ＰＢＳに浸し、そのまま振とう機上で１０分間振とうする。
【０１２５】
プローブＥＣ−７およびＥＣ−５５にジゴキシゲニンを標識付けするために、ニックトランスレーション法を用いる。
【０１２６】
（８）  ブロッキング
Ｉｎ  ｓｉｔｕハイブリダイゼーションを行った後、ブロッキングの操作を行う。
【０１２７】
具体的には、湿潤箱内にてスライドグラス１枚につきブロッキング試薬（ウサギ正常血清２ｍｌとＰＢＳ原液０．５ｍｌを含み、滅菌精製水で全量を１０ｍｌに調製したもの）１ｍｌを塗抹部位に滴下し、これを３０分間静置する。  その後、ブロッキング試薬を除去する。
【０１２８】
（９）  標識抗体との反応
標識抗体（アルカリフォスファターゼ標識抗ジゴキシゲニン抗体溶液１．０５単位、バッファーＡ（トリエタノールアミン７４６ｍｇ、塩化ナトリウム１７．５ｍｇ、塩化マグネシウム６水和物２０．３ｍｇ、塩化亜鉛１．３６ｍｇ、ウシ血清アルブミン１０００ｍｇおよび塩酸適量を含み、滅菌精製水適量で全量を１００ｍｌに調製したもの）１２．６μｌにて全量を１４μｌに調製したもの）を、標識抗体希釈液（トリス−（ヒドロキシメチル）−アミノメタン８．４８ｍｇ、塩化ナトリウム６．１４ｍｇおよび適量の塩酸を含み、適量の滅菌精製水で全量を０．７ｍｌに調製したもの）で５０倍希釈した標識抗体液を調製し、この標識抗体液を塗抹部位に１０μｌずつ滴下し、これを３０分間静置する。  その後、標識抗体洗浄液（１ｍｌのポリソルベート２０と５０ｍｌのＰＢＳ原液を含み、滅菌精製水で全量を１００ｍｌに調製したもの）を１０倍に希釈した溶液に浸し、そのまま振とう機上で１０分間振とうさせた。  この操作を２回繰り返した後、発色前処理液１（トリス−（ヒドロキシメチル）−アミノメタン６．０６ｇ、塩化ナトリウム２．９２ｇおよび適量の塩酸を含み、適量の滅菌精製水で全量を５０ｍｌに調製したもの）と発色前処理液２（塩化マグネシウム６水和物５．０８ｇを含み、滅菌精製水で全量を５０ｍｌに調製したもの）を等量混合し、滅菌精製水で５倍に希釈した発色前処理液に浸し、そのまま振とう機上で１０分間振とうする。
【０１２９】
（１０）  シグナル検出
スライドグラス１枚につき発色試薬［ニトロブルーテトラゾリウム（ＮＢＴ）／５−ブロモ−４−クロロ−３−インドリルフォスフェイト（ＢＣＩＰ）溶液、ｐＨ  ９．０〜１０．０：ＮＢＴ  ３．３ｍｇ、ＢＣＩＰ  １．６５ｍｇ、Ｎ，Ｎ−ジメチルホルムアミド９９μｇ、トリス（ヒドロキシメチル）アミノメタン１２１ｍｇ、適量の塩酸、塩化ナトリウム５８．４ｍｇおよび塩化マグネシウム６水和物１０１．６ｍｇを含み、適量の滅菌精製水で全量を１０ｍｌに調製したもの］１ｍｌを、０．２μｍシリンジトップフィルターを装着したディスポーザブルシリンジを用いてろ過しながら、スライドグラスの塗抹部位に滴下し、湿潤箱内で、３７℃で、３０分間遮光静置する。  その後、発色試薬洗浄液（トリス−（ヒドロキシメチル）−アミノメタン６０６ｍｇ、エチレンジアミン四酢酸二ナトリウム２水和物１８６ｍｇおよび適量の塩酸を含み、適量の滅菌精製水で全量を５０ｍｌに調製したもの）を１０倍に希釈した溶液に５分間浸し、風乾した後、対比染色液（ファストグリーンＦＣＦ（食用緑色３号）５０ｍｇ、滅菌精製水にて全量５０ｍｌに調製したもの）を１０倍に希釈した溶液および１％酢酸溶液に浸す。  その後、前記発色試薬洗浄液を１０倍に希釈した溶液に再度浸して余分の対比染色液を洗い流し、完全に風乾させる。
【０１３０】
（１１）  判  定
判定は、光学顕微鏡で鏡検（×１，０００）した場合に、単一のウェル内の対比染色液により染まった細胞に於いて、青紫色の発色シグナルが１つでも認められた場合に「陽性」と判定する。
【０１３１】
【実施例】
本発明を、実施例に沿って以下に詳細かつ具体的に説明するが、これら実施例の開示に基づいて、本発明が限定的に解釈されるべきでないことは勿論である。
【０１３２】
実施例１：エシェリヒア コリ菌検出用プローブの調製
（１）  エシェリヒア コリ菌特異的サブトラクトライブラリーの作製
エシェリヒア  コリ菌由来ＤＮＡプローブの選別は、ＣＬＯＮＴＥＣＨ  ＰＣＲ−Ｓｅｌｅｃｔ  Ｂａｃｔｅｒｉａｌ  Ｇｅｎｏｍｅ  Ｓｕｂｔｒａｃｔｉｏｎ  Ｋｉｔ（ＣＬＯＮＴＥＣＨ  社製）を用いた。  Ｅｓｃｈｅｒｉｃｈｉａ  ｃｏｌｉ（ＡＴＣＣ  １１７７５）およびＥｎｔｅｒｏｂａｃｔｅｒ  ｃｌｏａｃａｅ（臨床分離株）ゲノムＤＮＡ２μｇをキット添付の制限酵素ＲｓａＩで完全消化し、エタノール沈澱により精製し、６．５μｌの滅菌蒸留水に溶解した。  ＲｓａＩ消化したエシェリヒア  コリゲノムＤＮＡ１．２μｌを滅菌蒸留水１．８μｌで希釈し、このＤＮＡ試料にキット添付の二種類のアダプターをライゲートした。  反応液組成は、反応液１［ＤＮＡ試料１μｌ、ＤＮＡ  ＬｉｇａｔｉｏｎＢｕｆｆｅｒ（キット添付）２μｌ、Ｔ４  ＤＮＡ  Ｌｉｇａｓｅ（キット添付）１μｌ、滅菌蒸留水４μｌ、アダプター１（キット添付）２μｌ］、反応液２［ＤＮＡ  試料１μｌ、ＤＮＡ  Ｌｉｇａｔｉｏｎ  Ｂｕｆｆｅｒ  ２μｌ、Ｔ４  ＤＮＡ  Ｌｉｇａｓｅ  ２μｌ、滅菌蒸留水  ４μｌ、アダプター２Ｒ（キット添付）２μｌ］であり、１６℃で一晩反応した。  次に、反応液１および反応液２にＲｓａＩ消化したＥｎｔｅｒｏｂａｃｔｅｒ  ｃｌｏａｃａｅゲノムＤＮＡを加えて、１回目のハイブリダイゼーションを行った。  反応液組成は、ハイブリダイゼーション液１［第一反応液  １μｌ、ＲｓａＩ消化Ｅｎｔｅｒｏｂａｃｔｅｒ  ｃｌｏａｃａｅゲノムＤＮＡ２μｌ、Ｈｙｂｒｉｄｉｚａｔｉｏｎ  Ｂｕｆｆｅｒ（キット添付）１μｌ］、ハイブリダイゼーション液２［第二反応液  １μｌ、ＲｓａＩ消化Ｅｎｔｅｒｏｂａｃｔｅｒ  ｃｌｏａｃａｅ  ゲノムＤＮＡ２μｌ、Ｈｙｂｒｉｄｉｚａｔｉｏｎ  Ｂｕｆｆｅｒ  １μｌ］であり、ミネラルオイルを重層し、９８℃で１．５分間熱変性した後、６３℃で  １．５時間保温した。  ハイブリダイゼーション液２を直前に熱変性したＲｓａＩ消化Ｅｎｔｅｒｏｂａｃｔｅｒ  ｃｌｏａｃａｅゲノムＤＮＡ（ＲｓａＩ消化Ｅｎｔｅｒｏｂａｃｔｅｒ  ｃｌｏａｃａｅ  ゲノムＤＮＡ１μｌ  に  Ｈｙｂｒｉｄｉｚａｔｉｏｎ  Ｂｕｆｆｅｒ  １μｌを加え、９８℃で１．５  分間熱変性した）と混合し、さらにハイブリダイゼーション液２に加えた。  この混合液を６３℃で一晩保温し、２回目のハイブリダイゼーションを行った。  一晩保温後、Ｄｉｌｕｔｉｏｎ  Ｂｕｆｆｅｒ  ２００μｌ  を加え、６３℃で７分間保温した。  このハイブリダイゼーション混合液を添付の  ＰＣＲ  Ｐｒｉｍｅｒ−１（５’−ＣＴＡＡＴＡＣＧＡＣＴＣＡＣＴＡＴＡＧＧＧＣ−３’（配列番号：３））  を用いて１回目のＰＣＲを行った。  反応組成は、ハイブリダイゼーション混合液１μｌ、１０×Ｅｘ  Ｔａｑ  Ｂｕｆｆｅｒ  ２．５μｌ、ｄＮＴＰ  Ｍｉｘｔｕｒｅ  ２μｌ、ＰＣＲ  Ｐｒｉｍｅｒ−１  １μｌ、滅菌蒸留水１８μｌ、Ｔａｋａｒａ  Ｅｘ  Ｔａｑ  ０．５μｌ（以上  Ｔａｋａｒａ  社製）であり、ＰＣＲは、熱変性を９４℃、２５秒で、アニーリングを６６℃、３０秒で、伸長反応を７２℃、１．５分とする単一サイクルを３０サイクル行い、また繰り返し反応に入る前に、伸長反応を７２℃、２分で、熱変性を９４℃、２５秒とするプログラムで行った。  第一ＰＣＲの後、ｎｅｓｔｅｄ  ＰＣＲを行った。  滅菌蒸留水で  ４０倍に希釈した第一ＰＣＲ産物１μｌ  を鋳型とし、プライマーは添付の  Ｎｅｓｔｅｄ  Ｐｒｉｍｅｒ−１（５’−ＴＣＧＡＧＣＧＧＣＣＧＣＣＣＧＧＧＣＡＧＧＴ−３’（配列番号：４））およびＮｅｓｔｅｄ  Ｐｒｉｍｅｒ−２Ｒ（５’−ＡＧＣＧＴＧＧＴＣＧＣＧＧＣＣＧＡＧＧＴ−３’（配列番号：５））を用いて、第一ＰＣＲと同様の反応組成で行った。  ＰＣＲは、熱変性を９４℃、１０秒で、アニーリングを６８℃、３０秒で、伸長反応を７２℃、１．５分とする単一サイクルを１０サイクル行い、また繰り返し反応に入る前に、熱変性を９４℃、２５秒とするプログラムで行った。  以上のＰＣＲ反応は、ＴａＫａＲａ  ＰＣＲ  Ｔｈｅｒｍａｌ  Ｃｙｃｌｅｒ  ＰＥＲＳＯＮＡＬ（ＴａＫａＲａ  社製）により行った。
【０１３３】
得られたＰＣＲ産物をアガロースゲル電気泳動により確認後、バンドをゲルより切り出し、ＧＥＮＥＣＬＥＡＮ  ＩＩ  Ｋｉｔ（ＢＩＯ  １０１  社製）を用いて精製した。  精製したＤＮＡ断片は、ｐＴ７Ｂｌｕｅ  Ｖｅｃｔｏｒ（Ｎｏｖａｇｅｎ  社製）に組み込んだ。  組み換えたベクターはコンピテントセル  ＪＭ１０９  細胞（ＴａＫａＲａ  社製）に形質転換し、エシェリヒア  コリ特異的サブトラクトライブラリー１とした。
【０１３４】
また、エシェリヒア  コリ（ＡＴＣＣ  １１７７５）および  Ｋｌｅｂｓｉｅｌｌａ  ｐｎｅｕｍｏｎｉａｅ（臨床分離株）ゲノムＤＮＡから、同様の方法を用いて、エシェリヒア  コリ特異的サブトラクトライブラリー２を作製した。
【０１３５】
（２）  エシェリヒア コリ特異的クローンの選抜
得られたライブラリー１およびライブラリー２からエシェリヒア  コリ特異的クローンを選抜するために、以下の方法により各種細菌ＤＮＡとの反応性を検討した。  形質転換体を、１００μｇ／ｍｌアンピシリンを含むＬＢ培地で培養し、アルカリＳＤＳ法によりプラスミドＤＮＡを抽出した。  得られたプラスミドＤＮＡを鋳型とし、ジゴキシゲニン−ｄＵＴＰを用いてラベルした。  反応組成は、プラスミドＤＮＡ５０ｎｇ、１０×Ｅｘ  Ｔａｑ  Ｂｕｆｆｅｒ  ５μｌ、ＰＣＲ  Ｄｉｇ  Ｌａｂｅｌｉｎｇ  Ｍｉｘ（ロシュ・ダイアグノスティックス社製）５μｌ、Ｎｅｓｔｅｄ  Ｐｒｉｍｅｒ−１  １μｌ、Ｎｅｓｔｅｄ  Ｐｒｉｍｅｒ−２  １μｌ、滅菌蒸留水１７μｌ、Ｔａｋａｒａ  Ｅｘ  Ｔａｑ  ０．５μｌであり、ＰＣＲは、熱変性を９４℃、３０秒で、アニーリングを５５℃、３０秒で、伸長反応を７２℃、１分とする単一サイクルを３５サイクル行い、また繰り返し反応に入る前に、熱変性を９６℃、１分とするプログラムで行った。  得られたＰＣＲ産物をアガロースゲル電気泳動後、バンドをゲルより切り出し、ＳＵＰＲＥＣ−０１（Ｔａｋａｒａ  社製）を用いて精製し、ＤＮＡプローブとした。
【０１３６】
各種細菌ゲノムＤＮＡ５０ｎｇを、ＰＡＬＬ  Ｂｉｏｄｙｎｅ  Ｂメンブレン（ＰＡＬＬ  社製）にスポットし、風乾した後、  ０．５Ｍ  ＮａＯＨ、１．５  Ｍ  ＮａＣｌ  で１０分間アルカリ変性し、０．５Ｍ  Ｔｒｉｓ−ＨＣｌ  （ｐＨ  ７．５）、１．５Ｍ  ＮａＣｌ  で１０分間中和して風乾したものを、ドットブロットハイブリダイゼーションの試料とした。  メンブレンを、ＥｘｐｒｅｓｓＨｙｂ  Ｈｙｂｒｉｄｉｚａｔｉｏｎ  Ｓｏｌｕｔｉｏｎ（ＣＬＯＮＴＥＣＨ  社製）で、６８℃、１時間インキュベートした後、１０ｎｇ／ｍｌ  ＤＮＡプローブを含む  ＥｘｐｒｅｓｓＨｙｂ  Ｈｙｂｒｉｄｉｚａｔｉｏｎ  Ｓｏｌｕｔｉｏｎ  で、６０℃終夜ハイブリダイゼーションを実施した。  終夜ハイブリダイゼーション後、メンブレンを２×ＳＳＣ、０．１％ＳＤＳ  で、５分間、２回洗浄し、６０℃で  ０．２×ＳＳＣ、０．１％ＳＤＳによる１５分間の洗浄を２回行った。  バッファー−２［１％  Ｂｌｏｃｋｉｎｇ  ｒｅａｇｅｎｔ（ロシュ・ダイアグノスティックス社製）、１００  ｍＭ  Ｔｒｉｓ−ＨＣｌ  （ｐＨ  ７．５）、１５０ｍＭ  ＮａＣｌ］で３０分間インキュベートした後、抗ジゴケシゲニン抗体希釈液［抗ジゴケシゲニン抗体（ロシュ・ダイアグノスティックス社製をバッファー−２で５０００倍希釈したもの］で３０分間インキュベートした。  バッファー−１［１００ｍＭ  Ｔｒｉｓ−ＨＣｌ  （ｐＨ  ７．５）、１５０ｍＭ  ＮａＣｌ］で、１５分間、２回洗浄し、バッファー−３［１００ｍＭ  Ｔｒｉｓ−ＨＣｌ  （ｐＨ  ９．５）、１００ｍＭ  ＮａＣｌ、５０ｍＭ  ＭｇＣｌ２］で平衡化した。  ＮＢＴ／ＢＣＩＰ（ＧＩＢＣＯ  ＢＲＬ社製）でインキュベートし発色させた後、ＴＥバッファーで反応を停止した。
【０１３７】
その結果、Ｅｓｃｈｅｒｉｃｈｉａ  ｃｏｌｉ  特異的に反応する２つのクローンを選抜し、これらを、ＥＣ−７およびＥＣ−５５とそれぞれ命名した。
【０１３８】
（３）塩基配列の決定
ＥＣ−７およびＥＣ−５５の塩基配列の決定は、以下のように実施した。  ＤＹＥｎａｍｉｃ
ＥＴ  Ｔｅｒｍｉｎａｔｏｒ  Ｃｙｃｌｅ  Ｓｅｑｕｅｎｃｉｎｇ  Ｋｉｔ（Ａｍｅｒｓｈａｍ  Ｐｈａｒｍａｃｉａ  Ｂｉｏｔｅｃｈ  社製）を用いてシークエンシング反応を行い、ＡＢＩ  ＰＲＩＳＭ  ３７７  ＤＮＡ  Ｓｅｑｕｅｎｃｅｒ（Ａｐｐｌｉｅｄ
Ｂｉｏ  Ｓｙｓｔｅｍｓ  社製）で解析し、塩基配列を決定した。  シークエンシング反応液組成は、プラスミドＤＮＡ  ５００ｎｇ、プレミックス  ８μｌ、プライマー  ３μｌ  を滅菌蒸留水で２０μｌ  としたものであり、９５℃で、２０秒、５０℃で、１５秒、６０℃で、１分を３０サイクル行った。  プライマーは、Ｕｎｉｖｅｒｓａｌ  Ｃｙｃｌｅ  Ｐｒｉｍｅｒ（５’−ＧＴＴＴＴＣＣＣＡＧＴＣＡＣＧＡ−３’（配列番号：６））、Ｍ１３  Ｒｅｖｅｒｓｅ  Ｐｒｉｍｅｒ（５’−ＣＡＧＧＡＡＡＣＡＧＣＴＡＴＧＡＣ−３’（配列番号：７））および合成プライマーを用いた。  そして、ＥＣ−７の塩基配列を、配列番号１に、また、ＥＣ−５５の塩基配列を、配列番号２に記した。
【０１３９】
実施例２：プローブの種特異性の検討
実施例１で選抜した各プローブと各種感染症原因菌株のＤＮＡとの反応性を、以下の方法により検討した。
【０１４０】
まず、検討対象菌株として、エシェリヒア  コリ（Ｅｓｃｈｅｒｉｃｈｉａ  ｃｏｌｉ  ＡＴＣＣ２５９２２）、スタフィロコッカス  アウレウス（Ｓｔａｐｈｙｌｏｃｏｃｃｕｓ  ａｕｒｅｕｓ  ＡＴＣＣ２５９２３）、スタフィロコッカス  エピデルミディス（Ｓｔａｐｈｙｌｏｃｏｃｃｕｓ  ｅｐｉｄｅｒｍｉｄｉｓ  ＡＴＣＣ１２２２８）、シュードモナス  アエルギノーザ（Ｐｓｅｕｄｏｍｏｎａｓ  ａｅｒｕｇｉｎｏｓａ  ＡＴＣＣ２７５８３）、エンテロコッカス  フェカーリス（Ｅｎｔｅｒｏｃｏｃｃｕｓ  ｆａｅｃａｌｉｓ  臨床分離株）、エンテロバクター  クロアカエ（Ｅｎｔｅｒｏｂａｃｔｅｒ  ｃｌｏａｃａｅ  臨床分離株）、クレブシエラニューモニエ（Ｋｌｅｂｓｉｅｌｌａ  ｐｎｅｕｍｏｎｉａｅ）、カンジダ  アルビカンス（Ｃａｎｄｉｄａ  ａｌｂｉｃａｎｓ  ＡＴＣＣ１４０５３）およびＵ９３７（ヒトゲノムＤＮＡ）を準備した。
【０１４１】
そして、各臨床菌株に関して、実施例１に記載の方法に従って、各菌株が保有するＤＮＡを抽出し、抽出したＤＮＡの一定量（例えば、１０〜１００ｎｇ）をナイロンフィルターにスポットして、アルカリ変性したものをドット  ブロット  ハイブリダイゼーションの試料とした。  次いで、Ｄｉｇｏｘｉｇｅｎｉｎ−１１−ｄＵＴＰ（ＢＲＬ社製）でラベルしたプローブで、マニアティスのマニュアル（Ｔ．  Ｍａｎｉａｔｉｓ，  ｅｔ  ａｌ．，  ＭｏｌｅｃｕｌａｒＣｌｏｎｉｎｇ（Ａ  Ｌａｂｏｒａｔｏｒｙ  Ｍａｎｕａｌ  Ｓｅｃｏｎｄ  Ｅｄｉｔｉｏｎ），  Ｃｏｌｄ  Ｓｐｒｉｎｇ  Ｈａｒｂｏｕｒ  Ｌａｂｏｒａｔｏｒｙ  （１９８９））に従い、４５％ホルムアミド、５×ＳＳＣ、４２℃の条件下で、終夜ハイブリダイゼーションを実施した。  終夜ハイブリダイゼーションを終えた試料に関して、マニュアルに従い、５５℃にて０．１×ＳＳＣ、０．１％ＳＤＳによる２０分間の洗浄を２回行った後に、Ａｎｔｉ−Ｄｉｇ−ＡＬＰ  ｃｏｎｊｕｇａｔｅｓ（ＢＲＬ社製）で検出および発色させ、ハイブリダイゼーションの状況を確認した。
【０１４２】
その結果、プローブＥＣ−７およびＥＣ−５５は、いずれもエシェリヒア  コリ菌のゲノムＤＮＡに対してのみ特異的に反応することが確認された。
【０１４３】
実施例３：貪食サンプルからのエシェリヒア コリ菌の検出
（１）  貪食サンプルの作製
（ｉ）  Ｕ９３７細胞の調製
３７℃、５％炭酸ガスインキュベーター内で、ＲＰＭＩ  １６４０培地（２５ｍｌ）を入れた細胞培養フラスコ（１７５ｃｍ３）内にて、Ｕ９３７細胞（ヒト単球株化細胞、ＡＴＣＣ  ＣＲＬ−１５９３．２）を培養した。  次に、Ｕ９３７細胞培養液を５０ｍｌの遠沈管に入れ、４℃、２２０×ｇで１０分間遠心分離し、Ｕ９３７細胞を回収した。  その後、回収したＵ９３７細胞を、２００μｌのＰＢＳで懸濁し、血球計算盤で細胞数を計算し、細胞数を約１×１０４個／μｌ〜約２×１０４個／μｌに調製した。
【０１４４】
（ｉｉ）  細菌貪食サンプルの調製
エシェリヒア  コリ菌を、５ｍｌのＢＨＩ培養液に植菌し、３７℃で８時間以上培養した。  培養した菌液を、４℃、２，０００×ｇで１０分間遠心分離して集菌した。  上清を捨てた後、菌のペレットを５ｍｌのＰＢＳで懸濁し、再度４℃、２，０００×ｇで１０分間遠心分離して集菌した。  集菌した菌を５ｍｌのＰＢＳで懸濁した後、ＰＢＳにて希釈して、吸光度計により菌液の濁度（Ｏ．Ｄ．＝６００ｎｍ）を、０．０１６〜０．０２４にしたものを１５ｍｌ調製した。  このようにして得た菌液は、１７５ｃｍ３の培養用フラスコに移し、３０分間室温で静置させた。
【０１４５】
ヘパリン加健常ヒト血液５０ｍｌを採取し、血球分離試薬を４：１の割合で加え、３７℃で３０分間静置し、白血球画分を分取し、これをＰＢＳで５０ｍｌにした。  培養用フラスコ内の上清を静かに捨て、ＰＢＳで希釈した白血球画分を１０ｍｌずつフラスコに加え、室温で１０分間静置させた。  培養用フラスコ内の上清を捨て、フラスコの底に付着した白血球を０．０２％ＥＤＴＡ含有ＰＢＳ  １０ｍｌで１５ｍｌの遠沈管に回収し、４℃、１４０×ｇ〜１８０×ｇで１０分間遠心分離し、白血球を収集した。  収集した白血球に赤血球の混入が認められたので、１ｍｌの滅菌精製水にて白血球の沈渣を穏やかに懸濁して溶血させた後、ＰＢＳを１４ｍｌ加えて等張化し、再度４℃、１４０×ｇ〜１８０×ｇで１０分間遠心分離を行い、白血球を収集した。  収集した白血球をＰＢＳで懸濁し、血球計算盤にて細胞数を計測し、約１×１０４個／μｌ〜約５×１０４個／μｌに調製した。
【０１４６】
このようにして得られた貪食サンプルを、ＥＣ貪食サンプルとした。
【０１４７】
当該貪食サンプルの利点は、（１）  エシェリヒア  コリ菌が検出される臨床検体の入手が困難であり、そのため本発明のプローブの特異性評価などの各種試験ができないという問題点を、臨床検体の代わりに人為的に作製した当該貪食サンプルを使用することにより回避できること、（２）  本発明のプローブまたはキット等の特異性試験、感度試験、再現性試験などの性能試験に利用できること、（３）  貪食サンプルで得られた各種試験結果を、臨床検体に適用できること、（４）  温度条件、反応時間条件、酵素処理条件などの各種条件設定に利用できること、などが挙げられる。
【０１４８】
（ｉｉｉ）  塗抹固定
（ｉ）で得たＵ９３７細胞と、（ｉｉ）で調製したＥＣ貪食サンプルを、ＡＰＳコートスライドグラスの各ウェルに５μｌずつ塗抹し、風乾させた。
【０１４９】
次に、カルノア固定液にスライドグラスを２０分間浸した後、７５％エタノールに５分間浸し、カルノア固定液を洗浄して風乾させた後、試験に使用するまで４℃で保存する（検出手順（２）を参照のこと）。  次いで、固定サンプルの前処理を、検出手順（３）に記載の手順に従って行った。
【０１５０】
（２）  貪食サンプルの規格及び試験方法
（ｉ）  細胞数
細菌貪食サンプルのスライドグラスに塗抹固定する細胞数を、約５．０×１０４〜約２．５×１０５個／ウェルとし、また、Ｕ９３７細胞の細胞数を、約５．０×１０４〜約１．０×１０５個／ウェルとした。
【０１５１】
（ｉｉ）  貪食率
スライドグラスに塗抹固定した細菌貪食サンプルをアクリジンオレンジ染色液で染色し、蛍光顕微鏡（×１，０００）で無作為に約２００個の細胞を計測した。
【０１５２】
計測した細胞の中で、細胞内に細菌を貪食している細胞（貪食に特徴的な形態変化が認められた細胞）を陽性細胞とし、以下の数式に従って、貪食率を算出した。
【０１５３】
【数１】
2004173626.tif 000004
【０１５４】
（３）  試験方法
調製した貪食サンプルを検体とした。  使用したＥＣ貪食サンプルを塗抹したスライドグラスを用いて、各プローブの特異性を検討した。
【０１５５】
（４）  結  果
プローブＥＣ−７およびＥＣ−５５ともに、貪食細胞中に取り込まれたエシェリヒア  コリ菌由来のＤＮＡと特異的にハイブリダイズすることが判明した。  図１には、プローブＥＣ−７とエシェリヒア  コリ菌由来ＤＮＡとのハイブリダイズ状況（矢印箇所）を、同様に、図２には、プローブＥＣ−５５とエシェリヒア  コリ菌由来ＤＮＡとのハイブリダイズ状況（矢印箇所）を示している。  また、混合プローブ（プローブＥＣ−７とＥＣ−５５との混合プローブ）においては、単独のプローブに比較して強いシグナルが得られることが判明した。  このことから、使用するプローブは複数種混合して使用するのが好ましい。
【０１５６】
貪食サンプルで得られた結果は臨床検体に適用できるので、本発明のプローブは臨床検体においても有用であることが証明された。
【０１５７】
【発明の効果】
このように、本発明の検出用プローブによれば、それをｉｎ  ｓｉｔｕハイブリダイゼーションに適用することで、極めて短時間の内に、検出対象菌に対して安定なシグナルを発現することができるため、迅速かつ的確な検査結果をもたらすことが可能となる。
【０１５８】
また、これにより、エシェリヒア  コリ菌のみならず、敗血症や菌血症などの疾患に対する診断材料を医療現場に迅速に提供でき、人命救助の観点からも多大な貢献が期待されるものである。
【０１５９】
【配列表】
2004173626.tif 000005
2004173626.tif 000006
2004173626.tif 000007
2004173626.tif 000008
2004173626.tif 000009
【図面の簡単な説明】
【図１】エシェリヒア  コリ菌由来ＤＮＡとプローブＥＣ−７とのハイブリダイゼーションを示す顕微鏡写真である。
【図２】エシェリヒア  コリ菌由来ＤＮＡとプローブＥＣ−５５とのハイブリダイゼーションを示す顕微鏡写真である。
【図１】
2004173626.tif 000010
【図２】
2004173626.tif 000011